(57)【要約】【課題】ＩＰ網において、ノーリンギング通信サービスを提供することを可能にするデータ通信方法を提供する。【解決手段】検針センタに設けられたＣ−ＮＣＵ（センタ網制御装置）２と、検針先加入者宅に設けられたＮＣＵ（端末用網制御装置）３とが、ＩＰ変換装置４及び加入者サーバ５を経由して接続されるＩＰ網において、（Ａ）ＮＲＴ（ノーリンギングトランク）１を着側の外部装置として配備する方式、（Ｂ）ＮＲＴ１を着側ＩＰ変換装置４ｂに配備する方式、（Ｃ）ＮＲＴ１を発側ＩＰ変換装置４ａに配備する方式、（Ｄ）ＮＲＴ１を発側ＩＰ変換装置４ａ及び着側ＩＰ変換装置４ｂに機能分離して配備する方式、を用いたデータ通信方法によりノーリンギング通信サービスを実現する。【選択図】図１
2011139412.tif 000002
【特許請求の範囲】
【請求項１】
加入者宅に設けられた１つ以上の検針メータから検針データを収集するための制御情報を送信するセンタ網制御装置と、前記検針メータに接続され前記検針データを送信するための前記制御情報を受信する１つ以上の端末用網制御装置とが、
前記センタ網制御装置に接続される発側のＩＰ変換装置、前記発側のＩＰ変換装置に接続される発側の加入者サーバ、前記発側の加入者サーバに接続される着側の加入者サーバ、及び前記着側の加入者サーバに接続され前記制御情報を前記端末用網制御装置に送信する着側のＩＰ変換装置を経由して情報の送受信を行うＩＰ網に収容され、
前記加入者宅の電話を鳴動させることなく前記検針データを送受信させる制御を行うノーリンギングトランクが、前記ＩＰ網の前記着側の加入者サーバが収容する端末装置として接続され、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を発呼し、前記第１選択信号を前記発側のＩＰ変換装置において前記ＩＰ網上で用いられるプロトコルにプロトコル変換させ、前記発側の加入者サーバ及び前記着側の加入者サーバを経由して、前記ノーリンギングトランクに通知することにより、前記センタ網制御装置と前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記発側のＩＰ変換装置により前記ＩＰ網上で用いられるプロトコルにプロトコル変換させて、前記設定したパスを用いて前記ノーリンギングトランクに送信し、
前記プロトコル変換された前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置と前記加入者宅との間の前記特定された加入者回線を緩レバースさせるための信号を、前記ＩＰ網上で用いられるプロトコルにより、前記着側の加入者サーバを経由して前記着側のＩＰ変換装置に送信することにより、前記特定された加入者回線を緩レバースさせ、ノーリンギング呼び出し信号を前記着側のＩＰ変換装置によりプロトコル変換させて送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【請求項２】
加入者宅に設けられた１つ以上の検針メータから検針データを収集するための制御情報を送信するセンタ網制御装置と、前記検針メータに接続され前記検針データを送信するための前記制御情報を受信する１つ以上の端末用網制御装置とが、
前記センタ網制御装置に接続される発側のＩＰ変換装置、前記発側のＩＰ変換装置に接続される発側の加入者サーバ、前記発側の加入者サーバに接続される着側の加入者サーバ、及び前記着側の加入者サーバに接続され前記制御情報を前記端末用網制御装置に送信する着側のＩＰ変換装置を経由して情報の送受信を行うＩＰ網に収容され、
前記加入者宅の電話を鳴動させることなく前記検針データを送受信させる制御を行うノーリンギングトランクが、前記ＩＰ網の前記着側のＩＰ変換装置に備えられ、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を発呼し、前記第１選択信号を前記発側のＩＰ変換装置において前記ＩＰ網上で用いられるプロトコルにプロトコル変換させ、前記発側の加入者サーバ及び前記着側の加入者サーバを経由して、前記着側のＩＰ変換装置に備えられた前記ノーリンギングトランクに通知することにより、前記センタ網制御装置と前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記発側のＩＰ変換装置により前記ＩＰ網上で用いられるプロトコルにプロトコル変換させて、前記設定したパスを用いて前記着側のＩＰ変換装置に備えられた前記ノーリンギングトランクに送信し、
前記プロトコル変換された前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置により前記着側のＩＰ変換装置と前記加入者宅との間の前記特定された加入者回線を緩レバースさせ、ノーリンギング呼び出し信号を前記着側のＩＰ変換装置を介して送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【請求項３】
加入者宅に設けられた１つ以上の検針メータから検針データを収集するための制御情報を送信するセンタ網制御装置と、前記検針メータに接続され前記検針データを送信するための前記制御情報を受信する１つ以上の端末用網制御装置とが、
前記センタ網制御装置に接続される発側のＩＰ変換装置、前記発側のＩＰ変換装置に接続される発側の加入者サーバ、前記発側の加入者サーバに接続される着側の加入者サーバ、及び前記着側の加入者サーバに接続され前記制御情報を前記端末用網制御装置に送信する着側のＩＰ変換装置を経由して情報の送受信を行うＩＰ網に収容され、
前記加入者宅の電話を鳴動させることなく前記検針データを送受信させる制御を行うノーリンギングトランクが、前記ＩＰ網の前記着側のＩＰ変換装置に備えられ、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を発呼し、前記第１選択信号を前記発側のＩＰ変換装置において前記ＩＰ網上で用いられるプロトコルにプロトコル変換させ、前記発側の加入者サーバ及び前記着側の加入者サーバを経由して、前記着側のＩＰ変換装置に備えられた前記ノーリンギングトランクに通知することにより、前記センタ網制御装置と前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記発側のＩＰ変換装置により前記ＩＰ網上で用いられるプロトコルにプロトコル変換させて、前記発側の加入者サーバ及び前記着側の加入者サーバを経由して、前記着側のＩＰ変換装置に備えられた前記ノーリンギングトランクに送信し、
前記プロトコル変換された前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置により前記着側のＩＰ変換装置と前記加入者宅との間の前記特定された加入者回線を緩レバースさせ、ノーリンギング呼び出し信号を前記着側のＩＰ変換装置を介して送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【請求項４】
加入者宅に設けられた１つ以上の検針メータから検針データを収集するための制御情報を送信するセンタ網制御装置と、前記検針メータに接続され前記検針データを送信するための前記制御情報を受信する１つ以上の端末用網制御装置とが、
前記センタ網制御装置に接続される発側のＩＰ変換装置、前記発側のＩＰ変換装置に接続される発側の加入者サーバ、前記発側の加入者サーバに接続される着側の加入者サーバ、及び前記着側の加入者サーバに接続され前記制御情報を前記端末用網制御装置に送信する着側のＩＰ変換装置を経由して情報の送受信を行うＩＰ網に収容され、
前記加入者宅の電話を鳴動させることなく前記検針データを送受信させる制御を行うノーリンギングトランクが、前記ＩＰ網の前記発側のＩＰ変換装置に備えられ、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を発呼することにより、前記発側のＩＰ変換装置に備えられた前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記設定したパスを用いて前記発側のＩＰ変換装置に備えられた前記ノーリンギングトランクに送信し、
前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置と前記加入者宅との間の前記特定された加入者回線を緩レバースさせるための信号を、前記発側のＩＰ変換装置から前記ＩＰ網上で用いられるプロトコルにより、前記発側の加入者サーバ及び前記着側の加入者サーバを経由して、前記着側のＩＰ変換装置に送信することにより、前記特定された加入者回線を緩レバースさせ、ノーリンギング呼び出し信号を前記着側のＩＰ変換装置によりプロトコル変換させて送信することにより、前記加入者宅の電話を鳴動させることなく、前記特定された端末用網制御装置に接続し、前記接続した端末用網制御装置から前記センタ網制御装置に前記検針データを送信させること
を特徴とするデータ通信方法。
【請求項５】
加入者宅に設けられた１つ以上の検針メータから検針データを収集するための制御情報を送信するセンタ網制御装置と、前記検針メータに接続され前記検針データを送信するための前記制御情報を受信する１つ以上の端末用網制御装置とが、
前記センタ網制御装置に接続される発側のＩＰ変換装置、前記発側のＩＰ変換装置に接続される発側の加入者サーバ、前記発側の加入者サーバに接続される着側の加入者サーバ、及び前記着側の加入者サーバに接続され前記制御情報を前記端末用網制御装置に送信する着側のＩＰ変換装置を経由して情報の送受信を行うＩＰ網に収容され、
前記加入者宅の電話を鳴動させることなく前記検針データを送受信させる制御を行うノーリンギングトランクが、前記ＩＰ網の前記発側のＩＰ変換装置及び前記着側のＩＰ変換装置に備えられ、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を、前記ノーリンギングトランクを備えた前記発側のＩＰ変換装置へ発呼し、
前記第１選択信号を受信した前記ノーリンギングトランクを備えた前記発側のＩＰ変換装置は、前記第１選択信号を前記ＩＰ網上で用いられるプロトコルにプロトコル変換して、前記発側の加入者サーバ及び前記着側の加入者サーバを経由して、前記着側のＩＰ変換装置に備えられた前記ノーリンギングトランクに送信することにより、前記センタ網制御装置と、前記着側のＩＰ変換装置に備えられた前記ノーリンギングトランクとの間で、パス設定を行い、
前記センタ網制御装置は、前記加入者宅の加入者回線の識別情報である第２選択信号と、前記１つ以上の端末用網制御装置のうちの１つを識別するためのノーリンギング呼び出し選択信号とを、前記発側のＩＰ変換装置により前記ＩＰ網上で用いられるプロトコルにプロトコル変換させて、前記設定したパスを用いて前記着側のＩＰ変換装置に備えられた前記ノーリンギングトランクに送信し、
前記プロトコル変換された前記第２選択信号及び前記ノーリンギング呼び出し選択信号を受信した前記着側のＩＰ変換装置に備えられた前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置により前記着側のＩＰ変換装置と前記加入者宅との間の前記特定された加入者回線を緩レバースさせ、ノーリンギング呼び出し信号を前記着側のＩＰ変換装置を介して送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【請求項６】
加入者宅に設けられた１つ以上の検針メータから検針データを収集するための制御情報を送信するセンタ網制御装置が、前記センタ網制御装置に接続される発側のＩＰ変換装置、及び前記発側のＩＰ変換装置に接続される発側の加入者サーバを経由して情報の送受信を行うＩＰ網に収容され、
前記検針メータに接続され前記検針データを送信するための前記制御情報を受信する１つ以上の端末用網制御装置が、前記ＩＰ網からの前記制御情報を受信する関門交換機、及び前記関門交換機に接続され前記制御情報を前記端末用網制御装置に送信する着側の加入者線交換機を経由して情報の送受信を行うＰＳＴＮに収容され、
前記ＩＰ網と前記ＰＳＴＮとの間に、前記制御情報をプロトコル変換するゲートウェイを備え、
前記加入者宅の電話を鳴動させることなく前記検針データを送受信させる制御を行うノーリンギングトランクが、前記ＰＳＴＮの前記着側の加入者線交換機に備えられ、ノーリンギング通信サービスを提供するデータ通信システムに用いられるデータ通信方法であって、
前記センタ網制御装置は、前記ノーリンギングトランクの識別情報である第１選択信号を発呼し、前記第１選択信号を、前記発側のＩＰ変換装置及び前記発側の加入者サーバを経由して、前記ゲートウェイにおいてプロトコル変換させ、さらに前記関門交換機を経由して前記着側の加入者線交換機に備えられた前記ノーリンギングトランクに通知することにより、前記センタ網制御装置と前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記設定したパスにおいて、前記発側のＩＰ変換装置により前記ＩＰ網上で用いられるプロトコルにプロトコル変換させ、さらに、前記ゲートウェイによりプロトコル変換させて、前記着側の加入者線交換機に備えられた前記ノーリンギングトランクに送信し、
前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記加入者線交換機により前記着側の加入者線交換機と前記加入者宅との間の前記特定された加入者回線を緩レバースさせ、ノーリンギング呼び出し信号を前記加入者線交換機を介して送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【請求項７】
加入者宅に設けられた１つ以上の検針メータから検針データを収集するための制御情報を送信するセンタ網制御装置が、前記センタ網制御装置に接続される発側の加入者線交換機、及びＩＰ網へ前記制御情報を送信する関門交換機を経由して情報の送受信を行うＰＳＴＮに収容され、
前記検針メータに接続され前記検針データを送信するための前記制御情報を受信する１つ以上の端末用網制御装置が、前記ＰＳＴＮからの前記制御情報を受信する着側の加入者サーバ、及び前記着側の加入者サーバに接続され前記制御情報を前記端末用網制御装置に送信する着側のＩＰ変換装置を経由して情報の送受信を行うＩＰ網に収容され、
前記ＩＰ網と前記ＰＳＴＮとの間に、前記制御情報をプロトコル変換するゲートウェイを備え、
前記加入者宅の電話を鳴動させることなく前記検針データを送受信させる制御を行うノーリンギングトランクが、前記ＩＰ網の前記着側の加入者サーバが収容する端末装置として接続され、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を発呼し、前記第１選択信号を、前記発側の加入者線交換機及び前記関門交換機を経由して、前記ゲートウェイにおいて前記ＩＰ網上で用いられるプロトコルにプロトコル変換させ、さらに前記着側の加入者サーバを経由して前記ノーリンギングトランクに通知することにより、前記センタ網制御装置と前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記設定したパスにおいて、前記ゲートウェイによりプロトコル変換させて、前記ノーリンギングトランクに送信し、
前記プロトコル変換された前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置と前記加入者宅との間の前記特定された加入者回線を緩レバースさせるための信号を、前記ＩＰ網上で用いられるプロトコルにより、前記着側の加入者サーバを経由して前記着側のＩＰ変換装置に送信することにより、前記特定された加入者回線を緩レバースさせ、ノーリンギング呼び出し信号を前記着側のＩＰ変換装置によりプロトコル変換させて送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【請求項８】
加入者宅に設けられた１つ以上の検針メータから検針データを収集するための制御情報を送信するセンタ網制御装置が、前記センタ網制御装置に接続される発側の加入者線交換機、及びＩＰ網へ前記制御情報を送信する関門交換機を経由して情報の送受信を行うＰＳＴＮに収容され、
前記検針メータに接続され前記検針データを送信するための前記制御情報を受信する１つ以上の端末用網制御装置が、前記ＰＳＴＮからの前記制御情報を受信する着側の加入者サーバ、及び前記着側の加入者サーバに接続され前記制御情報を前記端末用網制御装置に送信する着側のＩＰ変換装置を経由して情報の送受信を行うＩＰ網に収容され、
前記ＩＰ網と前記ＰＳＴＮとの間に、前記制御情報をプロトコル変換するゲートウェイを備え、
前記加入者宅の電話を鳴動させることなく前記検針データを送受信させる制御を行うノーリンギングトランクが、前記ＩＰ網の前記着側のＩＰ変換装置に備えられ、ノーリンギング通信サービスを提供するデータ通信システムに用いられるデータ通信方法であって、
前記ノーリンギングトランクは、前記ＩＰ網上で用いられるプロトコルにプロトコル変換された前記制御情報の送受信を行う手段を備え、
前記センタ網制御装置は、前記ノーリンギングトランクの識別情報である第１選択信号を発呼し、前記第１選択信号を、前記発側の加入者線交換機及び前記関門交換機を経由して、前記ゲートウェイにおいて前記ＩＰ網上で用いられるプロトコルにプロトコル変換させ、さらに、前記着側の加入者サーバを経由して前記着側のＩＰ変換装置に備えられた前記ノーリンギングトランクに通知することにより、前記センタ網制御装置と前記ノーリンギングトランクとの間で、パス設定を行い、
前記加入者宅の加入者回線の識別情報である第２選択信号と、前記１つ以上の端末用網制御装置のうちの１つを識別するためのノーリンギング呼び出し選択信号とを、前記設定したパスにおいて、前記ゲートウェイによりプロトコル変換させて、前記着側のＩＰ変換装置に備えられた前記ノーリンギングトランクに送信し、
前記プロトコル変換された前記第２選択信号及び前記ノーリンギング呼び出し選択信号を受信した前記ノーリンギングトランクは、当該受信した第２選択信号に基づき前記加入者宅の加入者回線を特定し、当該ノーリンギング呼び出し選択信号に基づき、前記検針データを収集する前記端末用網制御装置を特定し、前記着側のＩＰ変換装置により前記着側のＩＰ変換装置と前記加入者宅との間の前記特定された加入者回線を緩レバースさせ、ノーリンギング呼び出し信号を前記着側のＩＰ変換装置を介して送信することにより、前記加入者宅の電話を鳴動させることなく、前記特定された端末用網制御装置に接続し、前記接続した端末用網制御装置から前記設定したパスを経由して前記センタ網制御装置に前記検針データを送信させること
を特徴とするデータ通信方法。
【発明の詳細な説明】
【技術分野】
【０００１】
本発明は、ＩＰ網において、ノーリンギング通信サービスを提供するデータ通信方法に関するものである。
【背景技術】
【０００２】
ノーリンギング通信サービスは、既存の電話網を利用して、検針センタから検針先加入者宅の電話機のベルを鳴動させることなく、各家庭に設置された各メータ（メータ用端末）の検針値等のデータを送受信することができる電気通信サービスである。
【０００３】
従来のノーリンギング通信サービスは、レガシーネットワーク（ＰＳＴＮ：Public Switched Telephone Network）を対象としたサービスで、検針センタに設けられたＣ−ＮＣＵ（センタ網制御装置）、キャリア（通信事業者）側に設けられたＮＲＴ（ノーリンギングトランク）、及び検針先加入者宅に設けられたＮＣＵ（Network Control Unit：端末用網制御装置）を備えて実現している。
【０００４】
ここで、Ｃ−ＮＣＵ（センタ網制御装置）は、ＮＣＵ（端末用網制御装置）との間で検針データを収集するための接続制御を行う。ＮＲＴ（ノーリンギングトランク）は、ノーリンギング通信サービスを提供するために、加入者線交換機等に設置されるトランクで、無鳴動着信を実現する制御を行う。ＮＣＵ（端末用網制御装置）は、加入電話回線の終端に各メータと接続されて設置され、各メータから検針値等のデータを収集し、Ｃ−ＮＣＵに送信する制御を行う。
【０００５】
図２１は、従来技術であるＰＳＴＮにおいて、ノーリンギング通信サービスを提供するデータ通信システムの処理の流れを説明するための図である。
【０００６】
まず、Ｃ−ＮＣＵ（センタ網制御装置）２が発呼し、第１選択信号（ＮＲＴ電話番号）及びＮＲＴＳ（接続制御信号）を、発側のＬＳ（Local Switch：加入者線交換機）６（６ａ）に送信する（Ｓ１）。次に、発側ＬＳ６ａは、第１選択信号により指定された着側のＬＳ６（６ｂ）のＮＲＴ（ノーリンギングトランク）１に接続し、Ｃ−ＮＣＵ２とＮＲＴ１との間のパス設定を行う（Ｓ２）。続いて、発側ＬＳ６ａとＮＲＴ１（着側ＬＳ６ｂ）との間において、誤着信及び不正使用の検出を行う（Ｓ３）。そして、ＮＲＴ１は、Ｃ−ＮＣＵ２に対して、第２選択信号要求（ＳＤＲ）を送信する（Ｓ４）。ＮＲＴ１から第２選択信号要求（ＳＤＲ）を受信したＣ−ＮＣＵ２は、第２選択信号（メータ用端末設置宅の電話番号）及びＮＲＳ選択信号（ノーリンギング呼び出し選択信号：複数のメータから任意のメータを選択する信号）を送信し、続いてＮＲＴＳを送信する（Ｓ５）。次に、ＮＲＴ１（着側ＬＳ６ｂ）が、第２選択信号及びＮＲＳ選択信号を受信し、続いて、ＮＲＴＳを受信すると、ＮＲＴ１（着側ＬＳ６ｂ）はＮＣＵ（端末用網制御装置）３に無鳴動呼び出しを行い、接続する（Ｓ６）。そして、ＮＣＵ３からＮＲＴ１経由で応答信号を発側ＬＳ６ａが受信すると課金開始となり、設定された回線でＣ−ＮＣＵ２とＮＣＵ３との間で検針データの送受信が開始される（Ｓ７）。続いて、Ｃ−ＮＣＵ２のＮＲＴＳ断により、データ送受信が終了される（Ｓ８）。この時点で、Ｃ−ＮＣＵ２は、接続断若しくは連続検針を選択することができる。
【先行技術文献】
【非特許文献】
【０００７】
【非特許文献１】技術参考資料、“ノーリンギング通信サービスのインタフェース”、［online］、ＮＴＴ東日本、［平成21年12月13日検索］、インターネット＜URL:http://www.ntt-east.co.jp/tekigou/shiryou/shiryou.html＞
【発明の概要】
【発明が解決しようとする課題】
【０００８】
従来のレガシーネットワーク（ＰＳＴＮ）の技術を用いて、ＩＰ網を利用したノーリンギング通信サービスを実現しようとする場合、従来の電話交換機では通信路と呼制御部が同じ装置内（ＬＳ：加入者線交換機）にあり、１つの交換機内部にＮＲＴをトランクとして配備して実現していた。しかし、ＩＰ網では、呼制御は加入者サーバを介して行われ、通話路の制御はＩＰ変換装置で行われるため、呼制御と通話路の制御とが異なるサーバで行われ、同一装置内に存在しない。そのため、従来のＰＳＴＮでのＮＲＴを、そのままではＩＰ網で利用することができず、ノーリンギング通信サービスを実現することができなかった。また、ＩＰ網と従来のＰＳＴＮにおける電話回線のインタフェースは異なるため、従来の電話回線に接続されているＣ−ＮＣＵやＮＣＵを、そのままＩＰ網で利用することができず、ノーリンギング通信サービスを実現することができなかった。
【０００９】
また、ＩＰ網と従来のレガシーネットワーク（ＰＳＴＮ）とが並存する期間においては、ＩＰ網に収容されるＣ−ＮＣＵからＰＳＴＮに収容される加入者宅のメータを検針する場合や、その逆に、ＰＳＴＮに収容されるＣ−ＮＣＵからＩＰ網に収容される加入者宅のメータを検針する場合が想定される。これまでは、このようなＩＰ網とＰＳＴＮとが並存する場合に、ノーリンギング通信サービスを提供することはできなかった。
【課題を解決するための手段】
【００１０】
前記した課題を解決するため、請求項１に記載の発明（後記する（方式Ａ））は、ＩＰ網上において制御情報の送受信を行うノーリンギングトランクを、ＩＰ網の着側の加入者サーバが収容する端末装置として接続する。そして、ノーリンギングトランクへの第１選択信号（ノーリンギングトランクの識別情報）による送信（以下、「第１呼」とよぶ）を、センタ網制御装置と着側に端末装置として配備されたノーリンギングトランクとの間で処理し、端末用網制御装置への第２選択信号（加入者宅の加入者回線を特定する識別情報）及びノーリンギング呼び出し選択信号（ＮＲＳ選択信号：端末用網制御装置を選択する情報）による送信（以下、「第２呼」とよぶ）を、着側に端末装置として配備されたノーリンギングトランクと端末用網制御装置との間で処理することにより、ＩＰ網において、ノーリンギング通信サービスを提供することができる。
また、ノーリンギングトランクが着側の加入者サーバが収容する端末装置として接続されることにより、ＩＰ網に収容される着側のＩＰ変換装置それぞれにノーリンギングトランクを設ける必要をなくすことができる。
【００１１】
請求項２に記載の発明（後記する（方式Ｂ−１））は、ＩＰ網上において制御情報の送受信を行うノーリンギングトランクを、ＩＰ網の着側のＩＰ変換装置に備える。そして、第１呼を、センタ網制御装置と着側のＩＰ変換装置に備えられたノーリンギングトランクとの間で処理し、第２呼を、着側のＩＰ変換装置に備えられたノーリンギングトランクと端末用網制御装置との間で処理することにより、ＩＰ網において、ノーリンギング通信サービスを提供することができる。
【００１２】
請求項３に記載の発明（後記する（方式Ｂ−２））は、ＩＰ網上において制御情報の送受信を行うノーリンギングトランクを、ＩＰ網の着側のＩＰ変換装置に備える。そして、第１呼を、センタ網制御装置と着側のＩＰ変換装置に備えられたノーリンギングトランクとの間で処理し、第２呼を、センタ網制御装置と端末用網制御装置との間で処理することにより、ＩＰ網において、ノーリンギング通信サービスを提供することができる。
【００１３】
請求項４に記載の発明（後記する（方式Ｃ））は、ＩＰ網上において制御情報の送受信を行うノーリンギングトランクをＩＰ網の発側のＩＰ変換装置に備える。そして、第１呼を、センタ網制御装置と発側のＩＰ変換装置に備えられたノーリンギングトランクとの間で処理し、第２呼を、発側のＩＰ変換装置に備えられたノーリンギングトランクと端末用網制御装置との間で処理することにより、ＩＰ網において、ノーリンギング通信サービスを提供することができる。
【００１４】
請求項５に記載の発明（後記する（方式Ｄ））は、ＩＰ網上において制御情報の送受信を行うノーリンギングトランクをＩＰ網の発側のＩＰ変換装置と着側のＩＰ変換装置の両方に備える。そして、第１呼を、センタ網制御装置から発側のＩＰ変換装置に備えられたノーリンギングトランクを経由して、着側のＩＰ変換装置に備えられたノーリンギングトランクに送信する処理を行い、第２呼を、着側のＩＰ変換装置に備えられたノーリンギングトランクと端末用網制御装置との間で処理することにより、ＩＰ網において、ノーリンギング通信サービスを提供することができる。
【００１５】
請求項６に記載の発明は、ＩＰ網とＰＳＴＮとの間に、制御情報をプロトコル変換するゲートウェイを設ける。そして、ＩＰ網に収容されるセンタ網制御装置から、ＰＳＴＮに収容される端末用網制御装置へノーリンギング通信サービスを提供するための制御情報を送信する場合に、第１呼を、ＩＰ網に収容されるセンタ網制御装置とＰＳＴＮの着側の加入者線交換機に備えられたノーリンギングトランクとの間で処理し、第２呼を、着側の加入者線交換機に備えられたノーリンギングトランクと端末用網制御装置との間で処理する。これにより、ＩＰ網に収容されるセンタ網制御装置とＰＳＴＮに収容される端末用網制御装置との間で、ノーリンギング通信サービスを提供することができる。
【００１６】
請求項７に記載の発明は、ＩＰ網とＰＳＴＮとの間に、制御情報をプロトコル変換するゲートウェイを設ける。そして、ＰＳＴＮに収容するセンタ網制御装置から、ＩＰ網に収容される端末用網制御装置へノーリンギング通信サービスを提供するための制御情報を送信する場合に、ＩＰ網上において制御情報の送受信を行うノーリンギングトランクを、ＩＰ網の着側の加入者サーバが収容する端末装置として接続する（方式Ａ）。そして、第１呼を、ＰＳＴＮに収容されるセンタ網制御装置とＩＰ網の着側に端末装置として配備されたノーリンギングトランクとの間で処理し、第２呼を、ＩＰ網の着側に端末装置として配備されたノーリンギングトランクと端末用網制御装置との間で処理する。これにより、ＰＳＴＮに収容されるセンタ網制御装置とＩＰ網に収容される端末用網制御装置との間で、ノーリンギング通信サービスを提供することができる。
【００１７】
請求項８に記載の発明は、ＩＰ網とＰＳＴＮとの間に、制御情報をプロトコル変換するゲートウェイを設ける。そして、ＰＳＴＮに収容するセンタ網制御装置から、ＩＰ網に収容される端末用網制御装置へノーリンギング通信サービスを提供するための制御情報を送信する場合に、ＩＰ網上において制御情報の送受信を行うノーリンギングトランクを、ＩＰ網の着側のＩＰ変換装置に備える（方式Ｂ−１）。そして、第１呼を、ＰＳＴＮに収容されるセンタ網制御装置とＩＰ網の着側のＩＰ変換装置に備えられたノーリンギングトランクとの間で処理し、第２呼を、ＩＰ網の着側のＩＰ変換装置に備えられたノーリンギングトランクと端末用網制御装置との間で処理する。これにより、ＰＳＴＮに収容されるセンタ網制御装置とＩＰ網に収容される端末用網制御装置との間で、ノーリンギング通信サービスを提供することができる。
【発明の効果】
【００１８】
本発明におけるデータ通信方法によれば、ＩＰ網において、ノーリンギング通信サービスの提供を可能にすることができる。
【図面の簡単な説明】
【００１９】
【図１】本実施形態に係るノーリンギング通信サービスを提供するデータ通信システムの例を示す図である。
【図２】本実施形態に係るノーリンギング通信サービスを提供するデータ通信システム（方式Ａ）の構成例を示す機能ブロック図である。
【図３】本実施形態に係るデータ通信方法（方式Ａ）においてノーリンギング通信サービスを提供する処理の流れを示すフローチャートである。
【図４】本実施形態に係るデータ通信方法（方式Ａ）においてノーリンギング通信サービスを提供する処理の流れを示すフローチャートである。
【図５】本実施形態に係るデータ通信方法（方式Ｂ−１）においてノーリンギング通信サービスを提供する処理の流れを示すフローチャートである。
【図６】本実施形態に係るデータ通信方法（方式Ｂ−１）においてノーリンギング通信サービスを提供する処理の流れを示すフローチャートである。
【図７】本実施形態に係るデータ通信方法（方式Ｂ−２）においてノーリンギング通信サービスを提供する処理の流れを示すフローチャートである。
【図８】本実施形態に係るデータ通信方法（方式Ｂ−２）においてノーリンギング通信サービスを提供する処理の流れを示すフローチャートである。
【図９】本実施形態に係るデータ通信方法（方式Ｃ）においてノーリンギング通信サービスを提供する処理の流れを示すフローチャートである。
【図１０】本実施形態に係るデータ通信方法（方式Ｃ）においてノーリンギング通信サービスを提供する処理の流れを示すフローチャートである。
【図１１】本実施形態に係るデータ通信方法（方式Ｄ）においてノーリンギング通信サービスを提供する処理の流れを示すフローチャートである。
【図１２】本実施形態に係るデータ通信方法（方式Ｄ）においてノーリンギング通信サービスを提供する処理の流れを示すフローチャートである。
【図１３】ＩＰ網に収容されたデータ通信システム（方式Ａ）とＰＳＴＮに収容されたデータ通信システムとが接続されてノーリンギング通信サービスを提供する構成を説明するための図である。
【図１４】本実施形態に係るＩＰ網（方式Ａ）発ＰＳＴＮ着のノーリンギング通信サービスの処理の流れを示すフローチャートである。
【図１５】本実施形態に係るＩＰ網（方式Ａ）発ＰＳＴＮ着のノーリンギング通信サービスの処理の流れを示すフローチャートである。
【図１６】本実施形態に係るＰＳＴＮ発ＩＰ網（方式Ａ）着のノーリンギング通信サービスの処理の流れを示すフローチャートである。
【図１７】本実施形態に係るＰＳＴＮ発ＩＰ網（方式Ａ）着のノーリンギング通信サービスの処理の流れを示すフローチャートである。
【図１８】ＩＰ網に収容されたデータ通信システム（方式Ｂ−１）とＰＳＴＮに収容されたデータ通信システムとが接続されてノーリンギング通信サービスを提供する構成を説明するための図である。
【図１９】本実施形態に係るＰＳＴＮ発ＩＰ網（方式Ｂ−１）着のノーリンギング通信サービスの処理の流れを示すフローチャートである。
【図２０】本実施形態に係るＰＳＴＮ発ＩＰ網（方式Ｂ−１）着のノーリンギング通信サービスの処理の流れを示すフローチャートである。
【図２１】ＰＳＴＮにおけるノーリンギング通信サービスを提供するデータ通信システムの処理の流れを説明するための図である。
【発明を実施するための形態】
【００２０】
次に、本発明を実施するための形態（「実施形態」という）について、適宜図面を参照しながら詳細に説明する。
【００２１】
本発明は、レガシーネットワーク（ＰＳＴＮ）で実現していたノーリンギング通信サービスを、ＩＰ網で実現するものである。本発明では、ＩＰ網上でのＮＲＴ（ノーリンギングトランク）配備方式、及びそのシーケンスを提案することで、従来のＣ−ＮＣＵ（センタ網制御装置）２及びＮＣＵ（端末用網制御装置）３を使用し、ＩＰ網におけるノーリンギング通信サービスの提供を実現する。
【００２２】
まず、本実施形態における、ＮＲＴ（ノーリンギングトランク）１を配備したデータ通信システムについて、構成例を示しその概要を説明する。従来のＰＳＴＮにおけるノーリンギング通信サービスでは、前記した図２１に示すように、ＮＲＴ１を、着側のＬＳ（加入者線交換機）６（６ｂ）に配備していた。ＩＰ網においてノーリンギング通信サービスを実現する場合に、ＮＲＴ１をＩＰ網内のどこに配備するかにより、以下に説明するような構成の異なる複数のデータ通信システム（方式Ａ〜Ｄ）が考えられる。
【００２３】
図１は、本実施形態に係るノーリンギング通信サービスを提供するデータ通信システムの例を示す図である。ここで、ＩＰ変換装置４とは、ＰＳＴＮ上で使用されているユーザからの回線を収容し、ユーザからのＰＳＴＮで使用されている呼制御／音声信号をＩＰ網上で使用される信号に変換するための装置である。なお、ＩＰ変換装置４は局設置であっても、ユーザ宅内設置であっても本技術を適用可能である。加入者サーバ５とは、ＩＰ網上で電話を利用するサービスに加入している顧客の情報を管理し、接続のための制御を行っているサーバである。加入者サーバ５は、加入者の呼情報の管理も行っており、課金等の役割も持っている。なお、各装置が実行する機能の詳細は、後記する図２において説明する。
【００２４】
＜（方式Ａ）ＮＲＴ着側外部装置配備＞
図１（Ａ）は、ＮＲＴ１を、着側の加入者サーバ５が収容する端末装置（以下、「外部装置」という）として配備する方式Ａによるデータ通信システムを示している。本方式Ａでは、第１呼（ＮＲＴ１への第１選択信号による送信）をＣ−ＮＣＵ２と外部に設置されたＮＲＴ１間で処理する。第２呼（ＮＣＵ３への第２選択信号及びＮＲＳ選択信号による送信）をＮＲＴ１とメータ用端末設置宅に設けられたＮＣＵ３間で処理する。なお、詳細は、図２〜図４において説明する。
【００２５】
＜（方式Ｂ）ＮＲＴ着側ＩＰ変換装置配備＞
図１（Ｂ−１），（Ｂ−２）は、ＮＲＴ１を着側ＩＰ変換装置４ｂに配備し、着側ＩＰ変換装置４ｂが収容するメータ端末装置宅に設けられたＮＣＵ３と接続する方式Ｂによるデータ通信システムを示している。本方式Ｂは、図１（Ｂ−１）に示すように、第１呼をＣ−ＮＣＵ２と着側ＩＰ変換装置４（４ｂ）に配備されたＮＲＴ１間で処理し、第２呼をＮＲＴ１とＮＣＵ３間で処理する方式Ｂ−１と、図１（Ｂ−２）に示すように、第１呼をＣ−ＮＣＵ２と着側ＩＰ変換装置４（４ｂ）に配備されたＮＲＴ１間で処理し、第２呼をＣ−ＮＣＵ２とＮＣＵ３間で処理する方式Ｂ−２との２通りの方式が考えられる。なお、方式Ｂ−１の詳細は、図５，図６において説明し、方式Ｂ−２の詳細は、図７，図８において説明する。
【００２６】
＜（方式Ｃ）ＮＲＴ発側ＩＰ変換装置配備＞
図１（Ｃ）は、ＮＲＴ１を発側ＩＰ変換装置４ａに配備する方式Ｃによるデータ通信システムを示している。本方式Ｃでは、第１呼をＣ−ＮＣＵ２と発側ＩＰ変換装置４ａに配備されたＮＲＴ１との間で処理する。第２呼を発側ＩＰ変換装置４ａに配備されたＮＲＴ１とＮＣＵ３との間で処理する。なお、方式Ｃの詳細は、図９，図１０において説明する。
【００２７】
＜（方式Ｄ）ＮＲＴ発着ＩＰ変換装置配備＞
図１（Ｄ）は、ＮＲＴ１を発側ＩＰ変換装置４ａと着側ＩＰ変換装置４ｂとに機能分離して配備する方式Ｄによるデータ通信システムを示している。本方式Ｄでは、第１呼をＣ−ＮＣＵ２と発側ＩＰ変換装置４ａ（ＮＲＴ１）との間及び発側ＩＰ変換装置４ａ（ＮＲＴ１）と着側ＩＰ変換装置４ｂ（ＮＲＴ１）との間で処理する。第２呼を着側ＩＰ変換装置４（４ｂ）に配備されたＮＲＴ１とＮＣＵ３との間で処理する。なお、方式Ｄの詳細は、図１１，図１２において説明する。
【００２８】
（基本シーケンス）
まず、本実施形態において各データ通信システムが、ＩＰ網においてノーリンギング通信サービスを提供するために、共通して実行する基本シーケンスについて説明する。
【００２９】
ノーリンギング通信サービスの実行手順を、（＃１）Ｃ−ＮＣＵ２から発呼を行いパスの設定をする手順、（＃２）誤着信防止手順、（＃３）不正使用防止手順、（＃４）第２選択信号要求手順、（＃５）第２選択信号送信手順、（＃６）無鳴動呼び出しによる、Ｃ−ＮＣＵ２とＮＣＵ３との間のデータ通信開始及び課金開始手順、（＃７）データ通信終了後のＣ−ＮＣＵ２とＮＣＵ３との間の回線解放及び課金停止手順、（＃８）連続検針手順、（＃９）ＮＲＴ解放手順の９手順に分類する。以下の説明において（＃１）〜（＃９）の番号は、上記の手順と対応するものとする。なお、以下の説明中に登場するＳＩＰ（Session Initiation Protocol）信号については、ＳＩＰに関わらずその信号において伝達する必要がある情報を含めることのできるＩＰ上の信号すべてが適用可能である。つまり、ＳＩＰにおける他の信号や、ＳＩＰ以外のプロトコルでも適応可能であるものである。
【００３０】
次に、上記において説明した本実施形態におけるデータ通信システム（方式Ａ〜Ｄ）毎にノーリンギング通信サービスを実現するデータ通信方法について詳細に説明する。
【００３１】
＜（方式Ａ）ＮＲＴ着側外部装置配備＞
ＮＲＴ（ノーリンギングトランク）１が着側の外部装置に配備されている方式Ａについて説明する。図２は、本実施形態に係るノーリンギング通信サービスを提供するデータ通信システム（方式Ａ）の構成例を示す機能ブロック図である。
【００３２】
方式Ａのデータ通信システムにおいて、ＮＲＴ１は、不図示の通信部、制御部、及び記憶部を備えたコンピュータ装置である外部装置に配備され、外部装置の制御部には、ＮＲＴ１の機能を実現するノーリンギング通信制御部１０が備わる。このノーリンギング通信制御部１０は、Ｃ−ＮＣＵ２との間で、ノーリンギング通信サービスに関する情報の制御を行い、また、加入者回線を緩レバースさせる制御を行う。ここで緩レバースとは、メータ用端末等の起動時の電話機の瞬時ベル鳴り（チン鳴り）を防止するため、加入者回線の極性を徐々に変化させて極性を反転させることをいう。さらに、ノーリンギング通信制御部１０は、回線の誤着信、不正利用を防止するための制御を行う。また、このノーリンギング通信制御部１０は、ＩＰ網上で用いられるプロトコルに変換された情報の送受信を制御する機能を有する。
【００３３】
ＩＰ変換装置４は、少なくとも、ＰＳＴＮで使用されている呼制御／音声信号をＩＰ網上で使用される信号（ＳＩＰ信号等）に変換し、またＩＰ網上で使用される信号をＰＳＴＮで使用される信号に変換するプロトコル変換部４２と、変換された呼制御信号や音声信号の送受信の制御を行う通信制御部４１とを備える。また、加入者サーバ５は、不図示の記憶部内に顧客情報が格納され、少なくとも、通信接続のための制御を行う接続制御部５１と、電話料金の課金を行うため、接続された回線の課金開始や課金停止の制御を行う課金部５２とを備える。
【００３４】
Ｃ−ＮＣＵ２は、不図示の通信部、制御部、記憶部、及び入出力部を備えたコンピュータ装置である。このＣ−ＮＣＵ２の記憶部には、ＮＲＴ１の識別情報や、検針対象の加入者宅の加入者回線の識別情報、ＮＣＵ３の識別情報等が記憶される。そして、制御部は、少なくとも、記憶部に記憶された各種識別情報を用いて、第１呼や第２呼を送信し、ＮＣＵ３と接続して検針データを収集する検針制御部（不図示）を備える。また、ＮＣＵ３は、少なくとも、検針メータから検針データを収集する検針部（不図示）と、検針部が収集した検針データを、ＮＲＴ１からの制御情報に基づきＣ−ＮＣＵ２へ送信する網制御部（不図示）とを備える。
【００３５】
次に、本実施形態におけるデータ通信システム（方式Ａ）の処理について説明する。
図３及び図４は、本実施形態に係るデータ通信システム（方式Ａ）がノーリンギング通信サービスを提供するデータ通信方法の処理の流れを示すフローチャートである。以下、前記した基本シーケンスの（＃１）〜（＃９）の手順に沿って説明する。
【００３６】
（Ｃ−ＮＣＵから発呼を行いパスの設定をする手順（＃１））
図３に示すように、まず、Ｃ−ＮＣＵ２よりＮＲＴ１（第１選択信号（ＮＲＴ電話番号））へ発呼を行うと（Ｓ１０１〜Ｓ１０３）、発側ＩＰ変換装置４ａ（プロトコル変換部４２）によって第１選択信号としてＳＩＰ信号（INVITE）に変換され、Ｃ−ＮＣＵ２が収容されている発側加入者サーバ５ａ、ＮＲＴ１が収容されている着側加入者サーバ５ｂを経由してＮＲＴ１へＳＩＰ信号（第１選択信号）が送信される（Ｓ１０４〜Ｓ１０６）。Ｃ−ＮＣＵ２は発呼後、発側ＩＰ変換装置４ａに対してＮＲＴＳ（接続制御信号）を送信し続ける。
【００３７】
（誤着信防止手順（＃２））
次に、ＳＩＰ信号（第１選択信号）を受信したＮＲＴ１は、誤着信防止のため発側ＩＰ変換装置４ａへＳＩＰ信号（１８ｘ（ＳＤＰ））を送信する（Ｓ１０７〜Ｓ１０９）。ＳＩＰ信号（１８ｘ（ＳＤＰ））を受信した発側ＩＰ変換装置４ａはＣ−ＮＣＵ２より受信しているＮＲＴＳをＮＲＴ１へ送信する。ＮＲＴ１はＮＲＴＳの検出により（Ｓ１１０）、受信したＳＩＰ信号（第１選択信号）が誤着信ではないと判断する。また、ＮＲＴ１にて一定時間ＮＲＴＳを検出できなかった場合は、誤着信と判断して呼を切断する。
【００３８】
（不正使用防止手順（＃３））
ＮＲＴＳ検出後、ＮＲＴ１は不正使用防止のためＳＩＰ信号（２００）を発側ＩＰ変換装置４ａへ送信する（Ｓ１１１〜Ｓ１１３）。ＳＩＰ信号（２００）を受信した発側ＩＰ変換装置４ａは該当する呼がＣ−ＮＣＵ２からの発信であるか否かを判断し、Ｃ−ＮＣＵ２からの発信である場合はＮＲＴＳの送信を中断する。ＮＲＴＳの中断を検出（Ｓ１１４）したＮＲＴ１は、ＳＩＰ信号（re-INVITE(SUS)）を発側ＩＰ変換装置４ａへ送信する（Ｓ１１５〜Ｓ１１７）。また、ＮＲＴ１にて一定時間ＮＲＴＳ中断を検出できなかった場合は、不正使用と判断して呼を切断する。ＳＩＰ信号（re-INVITE(SUS)）を受信した発側ＩＰ変換装置４ａはＮＲＴ１へＳＩＰ信号（２００）を送信し（Ｓ１１８〜Ｓ１２０）、ＮＲＴＳ送信を再開する。また、発側ＩＰ変換装置４ａにて該当する呼がＣ−ＮＣＵ２からの発信でないと判断された場合は、ここでタイマを設定し、タイムアウトにより呼を切断する。
【００３９】
（第２選択信号要求手順（＃４））
ＮＲＴＳ検出後（Ｓ１２１）、ＮＲＴ１はＳＤＲ（第２選択信号要求）をインチャネルでＣ−ＮＣＵ２へ送信する（Ｓ１２２）。ＳＤＲを受信したＣ−ＮＣＵ２はＮＲＴＳ送信を中断し、ＮＲＴＳの中断を検出（Ｓ１２３）したＮＲＴ１はＳＤＲの送信を中断する。
【００４０】
（第２選択信号送信手順（＃５））
ＳＤＲを受信したＣ−ＮＣＵ２はＮＲＴＳ送信を中断した後、ＮＲＴ１へ第２選択信号（ＮＲＳ選択信号（ノーリンギング呼び出し選択信号）を含む）をインチャネルで送信する（Ｓ１２４）。その後、ＮＲＴ１へのＮＲＴＳ送信を再開する。
【００４１】
（無鳴動呼び出しによるデータ通信開始及び課金開始手順（＃６））
続いて、図４に示すように、第２選択信号（ＮＲＳ選択信号を含む）及びＮＲＴＳを検出（Ｓ１２５）したＮＲＴ１は、着側加入者サーバ５ｂを経由して着側ＩＰ変換装置４ｂへＳＩＰ信号（ノーリンギング呼び出し）を送信する（Ｓ１２６，Ｓ１２７）。なお、このＳＩＰ信号（ノーリンギング呼び出し）は、ＮＲＴ１と検針先加入者宅とを緩レバースさせた上で接続させる要求信号である。そして、着側ＩＰ変換装置４ｂが、このＳＩＰ信号（ノーリンギング呼び出し）をＮＲＴ１から受信することにより、着側ＩＰ変換装置４ｂと検針先加入者宅との間の加入者回線を緩レバースさせる。
【００４２】
ＳＩＰ信号（ノーリンギング呼び出し）を受信した着側ＩＰ変換装置４ｂはＳＩＰ信号（１８ｘ（ＳＤＰ））をＮＲＴ１へ送信し（Ｓ１２８，Ｓ１２９）、検針先加入者宅との間の回線を緩レバースさせる（Ｓ１３０）。ＳＩＰ信号（１８ｘ（ＳＤＰ））により緩レバースを確認したＮＲＴ１は検針対象ＮＣＵ３にＮＲＳ（ノーリンギング呼び出し信号）をインチャネルで送信する（Ｓ１３１）。このように、緩レバース後にＮＲＳ（ノーリンギング呼び出し信号）を受信させることにより、電話機を鳴動させることなく検針対象ＮＣＵ３の呼び出しを行う。
【００４３】
呼び出しを受けた検針対象ＮＣＵ３は、ＡＮＳ（応答信号）をインチャネルで返信する（Ｓ１３２）。検針対象ＮＣＵ３よりＡＮＳを受信したＮＲＴ１は、ＳＩＰ信号（re-INVITE(RES)）を発側ＩＰ変換装置４ａへ送信する（Ｓ１３３〜Ｓ１３５）。また、発側加入者サーバ５ａの課金部５２は、ＮＲＴ１からＲＥＳに対応するＳＩＰ信号（re-INVITE）を受信することで、課金を開始する。
【００４４】
発側ＩＰ変換装置４ａは、ＳＩＰ信号（re-INVITE(RES)）を受信するとＣ−ＮＣＵ２間の回線をレバースすることにより（Ｓ１３６）、Ｃ−ＮＣＵ２に対し検針対象ＮＣＵ３からの応答を確認させる。そして、発側ＩＰ変換装置４ａは、ＳＩＰ信号（２００）をＮＲＴ１へ送信し（Ｓ１３７〜Ｓ１３９）、Ｃ−ＮＣＵ２と検針対象ＮＣＵ３との間の回線接続を実現する。その後、設定された回線にてデータ通信（検針）が開始される。
【００４５】
なお、本手順における検針対象ＮＣＵ３の呼び出しに際しては、緩レバース後にＮＲＳを受信させるタイミング保障の観点から、着側ＩＰ変換装置４ｂよりＮＲＳを送信する手法も可能である。この場合ＡＮＳの受信は着側ＩＰ変換装置４ｂとなり、ＮＲＴ１における該当信号の送受信確認は、着側ＩＰ変換装置４ｂとのＳＩＰ信号の交換によって行う。
【００４６】
（データ通信終了後の回線解放及び課金停止手順（＃７））
データ通信が終了すると、Ｃ−ＮＣＵ２はＮＲＴＳを中断する。このＮＲＴＳ断を検出（Ｓ１４０）したＮＲＴ１は、着側ＩＰ変換装置４ｂへＳＩＰ信号（CANCEL）を送信することにより（Ｓ１４１，Ｓ１４２）、着側ＩＰ変換装置４ｂは検針先加入者宅との間の回線を緩ノーマルさせ（Ｓ１４３）、ＮＲＴ１と検針対象ＮＣＵ３との間の通信を切断する。また、ＮＲＴ１は発側ＩＰ変換装置４ａにＳＩＰ信号（re-INVITE(SUS)）を送信する（Ｓ１４４〜Ｓ１４６）。ここで、発側加入者サーバ５ａの課金部５２は、ＮＲＴ１からＳＵＳに対応するＳＩＰ信号（re-INVITE）を受信することで、課金を停止する。そして、ＳＩＰ信号（re-INVITE(SUS)）を受信した発側ＩＰ変換装置４ａは、Ｃ−ＮＣＵ２との間の回線をノーマルに戻すことにより（Ｓ１４７）、Ｃ−ＮＣＵ２と検針対象ＮＣＵ３との間に設定された回線が解放したことをＣ−ＮＣＵ２に対し確認させる。また、発側ＩＰ変換装置４ａは、ＳＩＰ信号（２００）をＮＲＴ１へ送信する（Ｓ１４８〜Ｓ１５０）。
【００４７】
（連続検針手順（＃８））
連続検針を行う場合、Ｃ−ＮＣＵ２はＮＲＴ１に対して再度ＮＲＴＳを送信し（Ｓ１５１）、第２選択信号要求手順（＃４）のからの手順（図３のＳ１５１）を再度実行する。
【００４８】
（ＮＲＴ解放手順（＃９））
検針を終える場合、Ｃ−ＮＣＵ２の切断（Ｓ１５２）により、発側ＩＰ変換装置４ａはＮＲＴ１へＳＩＰ信号（ＢＹＥ）を送信し（Ｓ１５３〜Ｓ１５５）、ＮＲＴ１がＳＩＰ信号（２００）を発側ＩＰ変換装置４ａへ送信することにより（Ｓ１５６〜Ｓ１５８）、Ｃ−ＮＣＵ２とＮＲＴ１との間の接続が解放され終了となる。
【００４９】
以上のように、本実施形態に係るデータ通信システム（方式Ａ）に用いられるデータ通信方法によれば、ＩＰ網において、ノーリンギング通信サービスを提供することができる。また、ＮＲＴ１が着側の加入者サーバ５が収容する端末装置（外部装置）に配備されることにより、ＩＰ網に収容される個々の着側ＩＰ変換装置４ｂにＮＲＴ１を設ける必要をなくすことができる。
【００５０】
なお、本実施形態に係るデータ通信システム（方式Ａ）においては、ＮＲＴ１を、検針先加入者宅及び着側ＩＰ変換装置４ｂに接続された着側加入者サーバ５ｂに収容する外部装置とした。この実施形態の変形例として、加入者宅及び着側ＩＰ変換装置４ｂを収容する着側加入者サーバ５ｂ以外の他の加入者サーバ５に、ＮＲＴ１を外部装置として収容させることもできる。この場合、ＮＲＴ１（外部装置）と着側加入者サーバ５ｂとの間において、この他の加入者サーバ５を介して制御情報を送受信させることで、本実施形態に係るデータ通信システム（方式Ａ）と同様に、ノーリンギング通信サービスを提供することができる。
【００５１】
＜（方式Ｂ−１）ＮＲＴ着側ＩＰ変換装置配備＞
次に、ＮＲＴ１（ノーリンギング通信制御部１０）が着側ＩＰ変換装置４ｂに配備されており、第１呼をＣ−ＮＣＵ２、着側ＩＰ変換装置４ｂ（ＮＲＴ１）間で、第２呼を着側ＩＰ変換装置４ｂ（ＮＲＴ１）、検針先加入者宅に設けられたＮＣＵ３間で処理する方式Ｂ−１について説明する。図５及び図６は、本実施形態に係るデータ通信システム（方式Ｂ−１）がノーリンギング通信サービスを提供するデータ通信方法の処理の流れを示すフローチャートである。
【００５２】
図５に示すように、（＃１）から（＃５）までの処理については、ＮＲＴ１が着側ＩＰ変換装置４ｂに配備されているために、発側ＩＰ変換装置４ａと着側ＩＰ変換装置４ｂ（ＮＲＴ１）との間において信号が処理されることになる点を除いて、ＮＲＴ１が着側に外部装置配備されている場合（方式Ａの図３）と同様となるので説明を省略する。
【００５３】
（無鳴動呼び出しによるデータ通信開始及び課金開始手順（＃６））
図６に示すように、第２選択信号（ＮＲＳ選択信号を含む）及びＮＲＴＳを検出（Ｓ２０１）した着側ＩＰ変換装置４ｂのＮＲＴ１は、検針先加入者宅との間の回線を緩レバースさせ（Ｓ２０２）、検針先加入者宅に設置された検針対象ＮＣＵ３にＮＲＳ（ノーリンギング呼び出し信号）をインチャネルで送信することで（Ｓ２０３）、電話機を鳴動させることなく検針対象ＮＣＵ３の呼び出しを行う。そして、呼び出しを受けた検針対象ＮＣＵ３は、ＡＮＳ（応答信号）をインチャネルで返信する（Ｓ２０４）。
【００５４】
検針対象ＮＣＵ３よりＡＮＳを受信した着側ＩＰ変換装置４ｂのＮＲＴ１は、ＳＩＰ信号（re-INVITE(RES)）を発側ＩＰ変換装置４ａへ送信する（Ｓ２０５〜Ｓ２０７）。また、ＳＩＰ信号（re-INVITE(RES)）を受信した発側加入者サーバ５ａ（課金部５２）は、課金を開始する。
【００５５】
発側ＩＰ変換装置４ａは、ＳＩＰ信号（re-INVITE(RES)）を受信するとＣ−ＮＣＵ２間の回線をレバースすることにより（Ｓ２０８）、Ｃ−ＮＣＵ２に対し検針対象ＮＣＵ３からの応答を確認させる。そして、発側ＩＰ変換装置４ａは、ＳＩＰ信号（２００）を着側ＩＰ変換装置４ｂ（ＮＲＴ１）へ送信し（Ｓ２０９〜Ｓ２１１）、Ｃ−ＮＣＵ２と検針対象ＮＣＵ３との間の回線接続を実現する。その後、設定された回線にてデータ通信（検針）が開始される。
【００５６】
（データ通信終了後の回線解放及び課金停止手順（＃７））
データ通信が終了すると、Ｃ−ＮＣＵ２はＮＲＴＳを中断する。これを検出（Ｓ２１２）した着側ＩＰ変換装置４ｂのＮＲＴ１は、検針先加入者宅との間の回線を緩ノーマルさせ（Ｓ２１３）、着側ＩＰ変換装置４ｂ（ＮＲＴ１）と検針対象ＮＣＵ３との間の通信を切断する。また、ＮＲＴ１は、発側ＩＰ変換装置４ａにＳＩＰ信号（re-INVITE(SUS)）を送信する（Ｓ２１４〜Ｓ２１６）。ここで、ＳＩＰ信号（re-INVITE(SUS)）を受信した発側加入者サーバ５ａ（課金部５２）は、課金を停止する。そして、ＳＩＰ信号（re-INVITE(SUS)）を受信した発側ＩＰ変換装置４ａは、Ｃ−ＮＣＵ２との間の回線をノーマルに戻すことにより（Ｓ２１７）、Ｃ−ＮＣＵ２と検針対象ＮＣＵ３との間に設定された回線が解放したことをＣ−ＮＣＵ２に対し確認させる。また、発側ＩＰ変換装置４ａは、ＳＩＰ信号（２００）を着側ＩＰ変換装置４ｂ（ＮＲＴ１）へ送信する（Ｓ２１８〜Ｓ２２０）。
【００５７】
（＃８），（＃９）の手順については、ＮＲＴ１が着側ＩＰ変換装置４ｂに配備されているため、外部装置配備されたＮＲＴ１ではなく着側ＩＰ変換装置４ｂ（ＮＲＴ１）との間で信号が処理されることになる点を除いて、ＮＲＴ１が着側に外部装置配備されている場合（方式Ａの図４）と同様となるので説明を省略する。
【００５８】
以上のように、本実施形態に係るデータ通信システム（方式Ｂ−１）に用いられるデータ通信方法によれば、ＩＰ網において、ノーリンギング通信サービスを提供することができる。また、ＮＲＴ１が着側ＩＰ変換装置４ｂに配備されており、第１呼をＣ−ＮＣＵ２、着側ＩＰ変換装置４ｂ（ＮＲＴ１）間で、第２呼を着側ＩＰ変換装置４ｂ（ＮＲＴ１）、検針先加入者宅に設けられたＮＣＵ３間で処理するため、方式Ａに比べ、ＮＲＴ１と着側ＩＰ変換装置４ｂとの間の処理をなくし、シーケンスをより単純にすることができる。さらに、検針対象ＮＣＵ３の呼び出しに際して、第２呼を着側ＩＰ変換装置４ｂ（ＮＲＴ１）からＮＲＳを送信するため、緩レバース後にＮＲＳを受信させるタイミング保障の観点を考慮する必要をなくすことができる。
【００５９】
＜（方式Ｂ−２）ＮＲＴ着側ＩＰ変換装置配備＞
次に、ＮＲＴ１（ノーリンギング通信制御部１０）が着側ＩＰ変換装置４ｂに配備されており、第１呼をＣ−ＮＣＵ２、着側ＩＰ変換装置４ｂ（ＮＲＴ１）間で、第２呼をＣ−ＮＣＵ２、検針先加入者宅に設けられたＮＣＵ３間で処理する方式Ｂ−２について説明する。図７及び図８は、本実施形態に係るデータ通信システム（方式Ｂ−２）がノーリンギング通信サービスを提供するデータ通信方法の処理の流れを示すフローチャートである。
【００６０】
図７に示す（＃１）〜（＃５）までの処理については、ＮＲＴ１が着側ＩＰ変換装置４ｂに配備されているために、発側ＩＰ変換装置４ａと着側ＩＰ変換装置４ｂ（ＮＲＴ１）との間において信号が処理されることになる点を除いて、ＮＲＴ１が着側に外部装置配備されている場合（方式Ａの図３）と同様となるので説明を省略する。
【００６１】
（無鳴動呼び出しによるデータ通信開始及び課金開始手順（＃６））
図８に示すように、まず、着側ＩＰ変換装置４ｂのＮＲＴ１は、Ｃ−ＮＣＵ２からの第２選択信号（ＮＲＳ選択信号を含む）及びＮＲＴＳを検出する（Ｓ３０１）。また、発側ＩＰ変換装置４ａは、第２選択信号を受信すると、ＳＩＰ信号（ノーリンギング呼び出し）を第２呼として着側ＩＰ変換装置４ｂ（ＮＲＴ１）へ送信する（Ｓ３０２〜Ｓ３０３）。ＳＩＰ信号（ノーリンギング呼び出し）を受信した着側ＩＰ変換装置４ｂのＮＲＴ１は、検針先加入者宅との間の回線を緩レバースさせ（Ｓ３０５）、ＮＲＳ（ノーリンギング呼び出し信号）をインチャネルで送信することで（Ｓ３０６）、電話機を鳴動させることなく検針対象ＮＣＵ３の呼び出しを行う。また、ＮＲＴ１は、発側ＩＰ変換装置４ａに、ＳＩＰ信号（１８０）送信する（Ｓ３０７〜Ｓ３０９）。
そして、呼び出しを受けた検針対象ＮＣＵ３は、ＡＮＳ（応答信号）をインチャネルで返信する（Ｓ３１０）。検針対象ＮＣＵ３よりＡＮＳを受信したＮＲＴ１は、ＳＩＰ信号（２００（ＲＥＳ））を発側ＩＰ変換装置４ａへ送信する（Ｓ３１１〜Ｓ３１３）。また、ＳＩＰ信号（２００（ＲＥＳ））を受信した発側加入者サーバ５ａ（課金部５２）は、課金を開始する。
【００６２】
発側ＩＰ変換装置４ａは、ＳＩＰ信号（２００（ＲＥＳ））を受信するとＣ−ＮＣＵ２との間の回線をレバースすることにより（Ｓ３１４）、Ｃ−ＮＣＵ２に対し検針対象ＮＣＵ３からの応答を確認させ、Ｃ−ＮＣＵ２と検針対象ＮＣＵ３との間の回線接続を実現する。その後、設定された回線にてデータ通信（検針）が開始される。
【００６３】
（データ通信終了後の回線解放及び課金停止手順（＃７））
データ通信が終了すると、Ｃ−ＮＣＵ２はＮＲＴＳを中断する。これを検出（Ｓ３１５）した着側ＩＰ変換装置４ｂのＮＲＴ１は、着側ＩＰ変換装置４ｂ（ＮＲＴ１）と検針先加入者宅との間の回線を緩ノーマルさせ（Ｓ３１６）、着側ＩＰ変換装置４ｂ（ＮＲＴ１）と検針対象ＮＣＵ３との間の通信を切断する。また、ＮＲＴ１は、発側ＩＰ変換装置４ａにＳＩＰ信号（ＢＹＥ（ＳＵＳ））を送信する（Ｓ３１７〜Ｓ３１９）。ここで、ＳＩＰ信号（ＢＹＥ（ＳＵＳ））を受信した発側加入者サーバ５ａ（課金部５２）は、課金を停止する。そして、ＳＩＰ信号（ＢＹＥ（ＳＵＳ））を受信した発側ＩＰ変換装置４ａは、Ｃ−ＮＣＵ２との間の回線をノーマルに戻すことにより（Ｓ３２０）、Ｃ−ＮＣＵ２と検針対象ＮＣＵ３との間に設定された回線が解放したことをＣ−ＮＣＵ２に対し確認させる。また、発側ＩＰ変換装置４ａは、ＳＩＰ信号（２００）を着側ＩＰ変換装置４ｂ（ＮＲＴ１）へ送信する（Ｓ３２１〜Ｓ３２３）。
【００６４】
（＃８），（＃９）の手順については、ＮＲＴ１が着側ＩＰ変換装置４ｂに配備されているため、外部装置配備されたＮＲＴ１ではなく着側ＩＰ変換装置４ｂ（ＮＲＴ１）との間で信号が処理されることになる点を除いて、ＮＲＴ１が着側に外部装置配備されている場合（方式Ａの図４）と同様となるので説明を省略する。
【００６５】
以上のように、本実施形態に係るデータ通信システム（方式Ｂ−２）に用いられるデータ通信方法によれば、ＩＰ網において、ノーリンギング通信サービスを提供することができる。また、ＮＲＴ１が着側ＩＰ変換装置４ｂに配備されており、第２呼をＣ−ＮＣＵ２、検針先加入者宅に設けられたＮＣＵ３間で処理するため、第２呼が発側加入者サーバ５ａを経由することになる。よって、既存のＳＩＰ信号を変更することなく発側加入者サーバ５ａの課金部５２において、課金開始、課金停止の処理を行うことができる。
【００６６】
＜（方式Ｃ）ＮＲＴ発側ＩＰ変換装置配備＞
次に、ＮＲＴ１（ノーリンギング通信制御部１０）が発側ＩＰ変換装置４ａに設けられた方式Ｃについて説明する。図９及び図１０は、本実施形態に係るデータ通信システム（方式Ｃ）がノーリンギング通信サービスを提供するデータ通信方法の処理の流れを示すフローチャートである。
【００６７】
（Ｃ−ＮＣＵから発呼を行いパスの設定をする手順（＃１））
図９に示すように、まず、Ｃ−ＮＣＵ２よりＮＲＴ１（第１選択信号）へ発呼を行うと（Ｓ４０１〜Ｓ４０３）、発側ＩＰ変換装置４ａによって第１選択信号としてＳＩＰ信号（INVITE）に変換され、Ｃ−ＮＣＵ２が収容されている発側加入者サーバ５ａへ送信される（Ｓ４０４）。ＳＩＰ信号（INVITE）を受信した発側加入者サーバ５ａは発側ＩＰ変換装置４ａへ向けてＳＩＰ信号（INVITE）を折り返し（Ｓ４０５）、ＮＲＴ１の補足を行う。発側ＩＰ変換装置４ａが自律でＮＲＴ１を補足可能な場合、本手順における発側ＩＰ変換装置４ａと発側加入者サーバ５ａとの間でのＳＩＰ信号のやり取りは不要である。
【００６８】
（（＃２）〜（＃５）の手順）
（＃２）〜（＃５）の手順において、（＃１）で発側ＩＰ変換装置４ａから発側加入者サーバ５ａにＳＩＰ信号を送信する場合は、まず、ＳＩＰ信号（INVITE）を受信した発側加入者サーバ５ａは、発側加入者サーバ５ａ内の登録情報に基づき、誤着信及び不正利用検出を行い、発側ＩＰ変換装置４ａ（ＮＲＴ１）へＳＩＰ信号を送信する（Ｓ４０５〜Ｓ４０９）。ここで、誤着信または不正利用と判断された場合は切断する。次に、発側ＩＰ変換装置４ａのＮＲＴ１おいて、ＮＲＴＳの検出（Ｓ４１０）、ＳＤＲの送信（Ｓ４１１）、ＮＲＴＳ断の検出（Ｓ４１２）、ＳＤＲの中断、第２選択番号（ＮＲＳ選択番号を含む）とＮＲＴＳの受信の確認を行う（Ｓ４１３，Ｓ４１４）。
【００６９】
一方、（＃１）にて発側ＩＰ変換装置４ａから発側加入者サーバ５ａへＳＩＰ信号を送信しない場合は、発側ＩＰ変換装置４ａのＮＲＴ１において、発側ＩＰ変換装置４ａ（ＮＲＴ１）内の登録情報から誤着信及び不正利用検出を行う。ここで、誤着信または不正利用と判断された場合は切断する。以下は、発側ＩＰ変換装置４ａのＮＲＴ１において、ＮＲＴＳの検出（Ｓ４１０）、ＳＤＲの送信（Ｓ４１１）、ＮＲＴＳ断の確認（Ｓ４１２）、ＳＤＲの中断、第２選択番号（ＮＲＳ選択番号を含む）とＮＲＴＳの受信の確認を行う（Ｓ４１３，Ｓ４１４）。
【００７０】
（無鳴動呼び出しによるデータ通信開始及び課金開始手順（＃６））
続いて、図１０に示すように、第２選択信号（ＮＲＳ選択信号を含む）及びＮＲＴＳを検出（Ｓ４１４）した発側ＩＰ変換装置４ａのＮＲＴ１は、発側加入者サーバ５ａと検針先加入者宅が収容されている着側加入者サーバ５ｂとを経由して着側ＩＰ変換装置４ｂへＳＩＰ信号（ノーリンギング呼び出し）を送信する（Ｓ４１５〜Ｓ４１７）。
【００７１】
ＳＩＰ信号（ノーリンギング呼び出し）を受信した着側ＩＰ変換装置４ｂは、ＳＩＰ信号（２００（ＳＤＰ））を発側ＩＰ変換装置４ａ（ＮＲＴ１）へ送信し（Ｓ４１８〜Ｓ４２０）、検針先加入者宅との間の回線を緩レバースさせる（Ｓ４１９）。ＳＩＰ信号（２００（ＳＤＰ））により緩レバースを確認したＮＲＴ１は、検針対象ＮＣＵ３にＮＲＳ（ノーリンギング呼び出し信号）をインチャネルで送信する（Ｓ４２２）。緩レバース後にＮＲＳ（ノーリンギング呼び出し信号）を受信させることで電話機を鳴動させることなく検針対象ＮＣＵ３の呼び出しを行うことができる。
【００７２】
呼び出しを受けた検針対象ＮＣＵ３は、ＡＮＳ（応答信号）をインチャネルで返信する。検針対象ＮＣＵ３よりＡＮＳを受信（Ｓ４２３）した発側ＩＰ変換装置４ａのＮＲＴ１は、Ｃ−ＮＣＵ２との間の回線をレバースすることにより（Ｓ４２４）、Ｃ−ＮＣＵ２に対し検針対象ＮＣＵ３からの応答を確認させる。そして、Ｃ−ＮＣＵ２と検針対象ＮＣＵ３との間の回線接続を実現する。その後、設定された回線にてデータ通信が開始される。
【００７３】
本手順における課金開始は２種類の方法を用いることが可能である。１つ目の方法は、Ｓ４１９において、発側加入者サーバ５ａ（課金部５２）が着側ＩＰ変換装置４ｂからのＳＩＰ信号（２００（ＳＤＰ））を受信した際に課金を行う方法である（図１０の「課金開始(a)」）。２つ目の方法は発側ＩＰ変換装置４ａ（ＮＲＴ１）とＣ−ＮＣＵ２との間の回線をレバースさせる際に、発側ＩＰ変換装置４ａのＮＲＴ１からＳＩＰ信号（ＩＮＦＯ（通信開始通知））を発側加入者サーバ５ａへ送信し、そのＳＩＰ信号（ＩＮＦＯ（通信開始通知））の受信を契機に発側加入者サーバ５ａ（課金部５２）にて課金を開始する方法である（図１０の「課金開始(b)」）。
【００７４】
（データ通信終了後の回線解放及び課金停止手順（＃７））
次に、データ通信が終了すると、Ｃ−ＮＣＵ２はＮＲＴＳを中断する。このＮＲＴＳ断を検出（Ｓ４２５）した発側ＩＰ変換装置４ａのＮＲＴ１は、着側ＩＰ変換装置４ｂへＳＩＰ信号（ＢＹＥ）を送信し（Ｓ４２６〜Ｓ４２８）、これを受信した着側ＩＰ変換装置４ｂは、ＳＩＰ信号（２００）を発側ＩＰ変換装置４ａ（ＮＲＴ１）へ送信し（Ｓ４２９〜Ｓ４３１）、検針先加入者宅との間の回線を緩ノーマルさせ（Ｓ４３２）、発側ＩＰ変換装置４ａ（ＮＲＴ１）と検針対象ＮＣＵ３との間の通信を切断する。その後、ＮＲＴ１は、Ｃ−ＮＣＵ２との間の回線をノーマルに戻すことにより（Ｓ４３３）、Ｃ−ＮＣＵ２と検針対象ＮＣＵ３との間に設定された回線が解放したことをＣ−ＮＣＵ２に対し確認させる。
【００７５】
本手順における課金停止は、課金開始の方法に対応して２種類の方法を用いることが可能である。１つ目の方法は、Ｓ４２７において、発側加入者サーバ５ａ（課金部５２）がＳＩＰ信号（ＢＹＥ）を受信した際に課金を停止する方法である（図１０の「課金停止(a)」）。この方法は（＃６）の手順における１つ目の方法と対応している。２つ目の方法は、発側ＩＰ変換装置４ａのＮＲＴ１がＣ−ＮＣＵ２との間の回線をノーマルに戻す際に、ＮＲＴ１からＳＩＰ信号（ＩＮＦＯ（通信終了通知））を発側加入者サーバ５ａ（課金部５２）へ送信し、そのＳＩＰ信号（ＩＮＦＯ（通信終了通知））の受信を契機に課金を停止する方法である（図１０の「課金停止(b)」）。この方法は（＃６）の手順の２つ目の方法と対応している。
【００７６】
（連続検針手順（＃８））
連続検針を行う場合、Ｃ−ＮＣＵ２は発側ＩＰ変化装置（ＮＲＴ１）に対して再度ＮＲＴＳを送信し（Ｓ４３４）、第２選択信号要求手順（＃４）からの手順（図９のＳ４３４）を再度実行する。
【００７７】
（ＮＲＴ解放手順（＃９））
検針を終える場合、Ｃ−ＮＣＵ２の切断により（Ｓ４３５）、Ｃ−ＮＣＵ２と発側ＩＰ変換装置４ａ（ＮＲＴ１）との間の接続を解放する。発側ＩＰ変換装置４ａのＮＲＴ１は、加入者サーバ５ａへ切断を通知するためにＳＩＰ信号を送信し、終了となる（Ｓ４３６，Ｓ４３７）。なお、発側ＩＰ変換装置４ａが自律でＮＲＴ１を補足可能な場合、発側加入者サーバ５ａへのＳＩＰ信号の送信は不要である。
【００７８】
以上のように、本実施形態に係るデータ通信システム（方式Ｃ）に用いられるデータ通信方法によれば、ＩＰ網において、ノーリンギング通信サービスを提供することができる。また、ＮＲＴ１を発側ＩＰ変換装置４ａに配備することにより、ＮＲＴ１と発側ＩＰ変換装置４ａとの間の処理をなくし、シーケンスをより単純にすることができる。さらに、Ｃ−ＮＣＵ２と接続する発側ＩＰ変換装置４ａにＮＲＴ１を配備しておけば、個々の着側ＩＰ変換装置４ｂにそれぞれＮＲＴ１を配備する必要をなくすことができる。
【００７９】
＜（方式Ｄ）ＮＲＴ発着ＩＰ変換装置配備＞
次に、ＮＲＴ１（ノーリンギング通信制御部１０）が発側ＩＰ変換装置４ａと着側ＩＰ変換装置４ｂに機能分離して設けられた方法Ｄについて説明する。図１１及び図１２は、本実施形態に係るデータ通信システム（方式Ｄ）がノーリンギング通信サービスを提供するデータ通信方法の処理の流れを示すフローチャートである。
【００８０】
（Ｃ−ＮＣＵから発呼を行いパスの設定をする手順（＃１））
図１１に示すように、まず、Ｃ−ＮＣＵ２よりＮＲＴ１（第１選択信号）へ発呼を行うと（Ｓ５０１〜Ｓ５０３）、発側ＩＰ変換装置４ａ（プロトコル変換部４２）によって第１選択信号としてＳＩＰ信号に変換され、発側ＩＰ変換装置４ａ（ＮＲＴ１）により、Ｃ−ＮＣＵ２が収容されている発側加入者サーバ５ａ、検針先加入者宅が収容されている着側加入者サーバ５ｂを経由して、着側ＩＰ変換装置４ｂ（ＮＲＴ１）へＳＩＰ信号（第１選択信号）が送信される（Ｓ５０４〜Ｓ５０６）。Ｃ−ＮＣＵ２は発呼後、発側ＩＰ変換装置４ａ（ＮＲＴ１）に対してＮＲＴＳを送信し続ける。
【００８１】
（誤着信防止手順（＃２））及び（不正使用防止手順（＃３））
ＳＩＰ信号（第１選択信号）を受信した着側ＩＰ変換装置４ｂのＮＲＴ１は、発側ＩＰ変換装置４ａ（ＮＲＴ１）へ「ＮＲＴ着信」情報を付与したＳＩＰ信号（ＮＲＴ着信）を送信する（Ｓ５０７〜Ｓ５０９）。ＳＩＰ信号（ＮＲＴ着信）を受信した発側ＩＰ変換装置４ａのＮＲＴ１は誤着信防止及び不正利用防止を実行し、着側ＩＰ変換装置４ｂ（ＮＲＴ１）へＣ−ＮＣＵ２より受信しているＮＲＴＳを送信する。ここで、誤着信または不正利用と判断された場合は切断する。
【００８２】
（第２選択信号要求手順（＃４））
ＮＲＴＳ検出後（Ｓ５１０）、着側ＩＰ変換装置４ｂのＮＲＴ１は、ＳＤＲ（第２選択信号要求）をインチャネルでＣ−ＮＣＵ２へ送信する（Ｓ５１１）。ＳＤＲを受信したＣ−ＮＣＵ２はＮＲＴＳ送信を中断し、ＮＲＴＳの中断を検出（Ｓ５１２）した着側ＩＰ変換装置４ｂのＮＲＴ１はＳＤＲの送信を中断する。
【００８３】
（第２選択信号送信手順（＃５））
ＳＤＲを受信したＣ−ＮＣＵ２は、ＮＲＴＳ送信を中断した後、着側ＩＰ変換装置４ｂ（ＮＲＴ１）へ第２選択信号（ＮＲＳ選択信号を含む）をインチャネルで送信する（Ｓ５１３）。その後、着側ＩＰ変換装置４ｂ（ＮＲＴ１）へのＮＲＴＳ送信を再開する。
【００８４】
（無鳴動呼び出しによるデータ通信開始及び課金開始手順（＃６））
続いて、図１２に示すように、第２選択信号（ＮＲＳ選択信号含む）及びＮＲＴＳを検出（Ｓ５１４）した着側ＩＰ変換装置４ｂのＮＲＴ１は、検針先加入者宅との間の回線を緩レバースさせ（Ｓ５１５）、検針対象ＮＣＵ３にＮＲＳ（ノーリンギング呼び出し信号）をインチャネルで送信することで（Ｓ５１６）、電話機を鳴動させることなく検針対象ＮＣＵ３の呼び出しを行う。そして、呼び出しを受けた検針対象ＮＣＵ３は、ＡＮＳ（応答信号）をインチャネルで返信する（Ｓ５１７）。検針対象ＮＣＵ３よりＡＮＳを受信した着側ＩＰ変換装置４ｂのＮＲＴ１は、ＳＩＰ信号（Re-INVITE）を発側ＩＰ変換装置４ａ（ＮＲＴ１）へ送信する（Ｓ５１８〜Ｓ５２０）。また、ＳＩＰ信号（Re-INVITE）を受信した発側加入者サーバ５ａ（課金部５２）は、課金を開始する。
発側ＩＰ変換装置４ａ（ＮＲＴ１）は、ＳＩＰ信号（Re-INVITE）を受信するとＣ−ＮＣＵ２間の回線をレバースすることにより（Ｓ５２１）、Ｃ−ＮＣＵ２に対し検針対象ＮＣＵ３からの応答を確認させる。そして、発側ＩＰ変換装置４ａ（ＮＲＴ１）は、ＳＩＰ信号（２００）を着側ＩＰ変換装置４ｂ（ＮＲＴ１）へ送信し（Ｓ５２２〜Ｓ５２４）、Ｃ−ＮＣＵ２と検針対象ＮＣＵ３との間の回線接続を実現する。その後、設定された回線にてデータ通信（検針）が開始される。
【００８５】
（データ通信終了後の回線解放及び課金停止手順（＃７））
データ通信が終了すると、Ｃ−ＮＣＵ２はＮＲＴＳを中断する。これを検出（Ｓ５２５）した着側ＩＰ変換装置４ｂのＮＲＴ１は、検針先加入者宅との間の回線を緩ノーマルさせ（Ｓ５２６）、着側ＩＰ変換装置４ｂ（ＮＲＴ１）と検針対象ＮＣＵ３との間の通信を切断する。また、着側ＩＰ変換装置４ｂのＮＲＴ１は、発側ＩＰ変換装置４ａ（ＮＲＴ１）にＳＩＰ信号（Re-INVITE）を送信する（Ｓ５２７〜Ｓ５２９）。ここで、ＳＩＰ信号（Re-INVITE）を受信した発側加入者サーバ５ａ（課金部５２）は、課金を停止する。そして、ＳＩＰ信号（Re-INVITE）を受信した発側ＩＰ変換装置４ａ（ＮＲＴ１）は、Ｃ−ＮＣＵ２との間の回線をノーマルに戻すことにより（Ｓ５３０）、Ｃ−ＮＣＵ２と検針対象ＮＣＵ３との間に設定された回線が解放したことをＣ−ＮＣＵ２に対し確認させる。また、発側ＩＰ変換装置４ａ（ＮＲＴ１）は、ＳＩＰ信号（２００）を着側ＩＰ変換装置４ｂ（ＮＲＴ１）へ送信する（Ｓ５３１〜Ｓ５３３）。
【００８６】
（連続検針手順（＃８））
連続検針を行う場合、Ｃ−ＮＣＵ２は着側ＩＰ変換装置４ｂ（ＮＲＴ１）に対して再度ＮＲＴＳを送信し（Ｓ５３４）、第２選択信号要求手順（＃４）からの手順（図１１のＳ５３４）を再度実行する。
【００８７】
（ＮＲＴ解放手順（＃９））
検針を終える場合、Ｃ−ＮＣＵ２の切断により（Ｓ５３５）、Ｃ−ＮＣＵ２と発側ＩＰ変換装置４ａ（ＮＲＴ１）との間の接続を解放する。解放を確認した発側ＩＰ変換装置４ａ（ＮＲＴ１）は、着側ＩＰ変換装置４ｂ（ＮＲＴ１）へＳＩＰ信号を送信し、発側ＩＰ変換装置４ａ（ＮＲＴ１）と着側ＩＰ変換装置４ｂ（ＮＲＴ１）との間の接続が解放され終了となる（Ｓ５３６〜Ｓ５４１）。
【００８８】
以上のように、本実施形態に係るデータ通信システム（方式Ｄ）に用いられるデータ通信方法によれば、ＩＰ網において、ＮＲＴ１を発側ＩＰ変換装置４ａと着側ＩＰ変換装置４ｂとに設置し、ノーリンギング通信サービスを提供することができる。
【００８９】
＜ＩＰ網−ＰＳＴＮ＞
次に、従来のレガシーネットワーク（ＰＳＴＮ）とＩＰ網とが並存する場合において、ノーリンギング通信サービスを提供するデータ通信システムに用いられるデータ通信方法について説明する。
【００９０】
＜ＩＰ網（方式Ａ）−ＰＳＴＮ＞
図１３は、ＩＰ網に収容されたデータ通信システム（方式Ａ）（図１〜図４参照）と、ＰＳＴＮに収容されたデータ通信システム（図２１参照）とが接続されてノーリンギング通信サービスを提供する構成を説明するための図である。
【００９１】
図１３に示すように、ＩＰ網側は、ＮＲＴ１を外部装置として配備する方式Ａによるデータ通信システムであり、ＰＳＴＮ側は、図２１に示したように、ＮＲＴ１を着側ＬＳ（加入者線交換機）６ｂに備えたデータ通信システムである。そして、ＰＳＴＮ側には、ＩＧＳ（Interconnection Gateway Switch：関門交換機）８が設けられ、ＩＰ網側には、ＰＳＴＮ網とＩＰ網とを接続するためのプロトコル変換を行うＰＳＴＮ−ＧＷ（ゲートウェイ）９が設けられる。
【００９２】
＜ＩＰ網（方式Ａ）発−ＰＳＴＮ着＞
まず、ＩＰ網側に設けられたＣ−ＮＣＵ２により、ＰＳＴＮ側に設けられた着ＬＳ６ｂが配備するＮＲＴ１を用いて、着側のＮＣＵ３を制御してノーリンギング通信サービスを提供するシステムについて説明する。なお、この場合、ＩＰ網側の着側に外部装置として配備されたＮＲＴ１は機能しないものである。
【００９３】
図１４及び図１５は、本実施形態に係るＩＰ網（方式Ａ）発ＰＳＴＮ着のノーリンギング通信サービスの処理の流れを示すフローチャートである。
【００９４】
（Ｃ−ＮＣＵから発呼を行いパスの設定をする手順（＃１））
図１４に示すように、まず、Ｃ−ＮＣＵ２よりＮＲＴ１（第１選択信号）へ発呼を行うと（Ｓ６０１〜Ｓ６０３）、発側ＩＰ変換装置４ａ（プロトコル変換部４２）によって第１選択信号としてＳＩＰ信号（INVITE）に変換され、Ｃ−ＮＣＵ２が収容されている発側加入者サーバ５ａ、ＰＳＴＮ−ＧＷ９、ＩＧＳ８を経由して着側ＬＳ（加入者線交換機）６ｂ（ＮＲＴ１）へ送信される（Ｓ６０４〜Ｓ６０７）。このとき、ＰＳＴＮ−ＧＷ９は、ＳＩＰ信号（INVITE）をＩＳＵＰ信号（ＩＡＭ）に変換する。以降、ＳＩＰ信号及びＩＳＵＰ信号はＰＳＴＮ−ＧＷ９を経由する際にそれぞれＩＳＵＰ信号、ＳＩＰ信号への変換が行われる。Ｃ−ＮＣＵ２は発呼後、発側ＩＰ変換装置４ａに対してＮＲＴＳを送信し続ける。
【００９５】
（誤着信防止手順（＃２））
ＩＳＵＰ信号（ＩＡＭ）を受け取った着側ＬＳ６ｂのＮＲＴ１は、誤着信防止のため発側ＩＰ変換装置４ａに向けてＩＳＵＰ信号（ＡＣＭ）を送信する（Ｓ６０８〜Ｓ６１１）。ＩＳＵＰ信号（ＡＣＭ）をＳＩＰ信号（１８ｘ（ＳＤＰ））で受信した発側ＩＰ変換装置４ａは、Ｃ−ＮＣＵ２より受信しているＮＲＴＳを着側ＬＳ６ｂへ送信する。着側ＬＳ６ｂのＮＲＴ１は、ＮＲＴＳの検出により（Ｓ６１２）、受信したＩＳＵＰ信号（ＩＡＭ）が誤着信ではないと判断する。また、ＮＲＴ１において、一定時間ＮＲＴＳを検出できなかった場合は、誤着信と判断して呼を切断する。
【００９６】
（不正使用防止手順（＃３））
ＮＲＴＳ検出後、着側ＬＳ６ｂのＮＲＴ１は、不正使用防止のためＩＳＵＰ信号（ＡＮＭ）を発側ＩＰ変換装置４ａへ送信する（Ｓ６１３〜Ｓ６１６）。ＩＳＵＰ信号（ＡＮＭ）をＳＩＰ信号（２００）で受信した発側ＩＰ変換装置４ａは、該当する呼がＣ−ＮＣＵ２からの発信であるか否かを判断し、Ｃ−ＮＣＵ２からの発信である場合はＮＲＴＳの送信を中断する。ＮＲＴＳの中断を検出（Ｓ６１７）した着側ＬＳ６ｂのＮＲＴ１は、ＩＳＵＰ信号（ＳＵＳ）を発側ＩＰ変換装置４ａへ送信する（Ｓ６１８〜Ｓ６２１）。その際、ＩＳＵＰ信号（ＳＵＳ）を転送するＩＧＳ８とＰＳＴＮ−ＧＷ９では、ＩＳＵＰ信号（ＳＵＳ）受信時にＢ~タイマを設定しない機能が必要となる。また、ＮＲＴ１において、一定時間ＮＲＴＳ中断を検出できなかった場合は、不正使用と判断して呼を切断する。
【００９７】
ＩＳＵＰ信号（ＳＵＳ）をＳＩＰ信号（re-INVITE）で受信した発側ＩＰ変換装置４ａは、ＰＳＴＮ−ＧＷ９へＳＩＰ信号（２００）を送信し（Ｓ６２２，Ｓ６２３）、中断していたＮＲＴＳ送信を再開する。また、発側ＩＰ変換装置４ａにて該当する呼がＣ−ＮＣＵ２からの発信でないと判断された場合は、ここでタイマを設定し、タイムアウトにより呼を切断する。
【００９８】
（第２選択信号要求手順（＃４））
ＮＲＴＳ検出後（Ｓ６２４）、着側ＬＳ６ｂのＮＲＴ１は、インチャネルにてＳＤＲ（第２選択信号要求）をＣ−ＮＣＵ２へ送信する（Ｓ６２５）。ＳＤＲを受信したＣ−ＮＣＵ２は、ＮＲＴＳ送信を中断し、ＮＲＴＳの中断を検出（Ｓ６２６）した着側ＬＳ６ｂのＮＲＴ１はＳＤＲの送信を中断する。
【００９９】
（第２選択信号送信手順（＃５））
ＳＤＲを受信したＣ−ＮＣＵ２は、ＮＲＴＳ送信を中断した後、着側ＬＳ６ｂ（ＮＲＴ１）へ第２選択信号（ＮＲＳ選択信号を含む）をインチャネルで送信する（Ｓ６２７）。その後、着側ＬＳ６ｂ（ＮＲＴ１）へのＮＲＴＳ送信を再開する。
【０１００】
（無鳴動呼び出しによるデータ通信開始及び課金開始手順（＃６））
続いて、図１５に示すように、第２選択信号（ＮＲＳ選択信号を含む）及びＮＲＴＳを検出（Ｓ６２８）した着側ＬＳ６ｂのＮＲＴ１は、検針先加入者宅との間の回線を緩レバースさせ（Ｓ６２９）、検針対象ＮＣＵ３にＮＲＳ（ノーリンギング呼び出し信号）をインチャネルで送信することで（Ｓ６３０）、電話機を鳴動させることなく検針対象ＮＣＵ３の呼び出しを行う。呼び出しを受けた検針対象ＮＣＵ３は、ＡＮＳ（応答信号）をインチャネルで返信する（Ｓ６３１）。検針対象ＮＣＵ３よりＡＮＳを受信した着側ＬＳ６ｂのＮＲＴ１は、ＩＳＵＰ信号（ＲＥＳ）を発側ＩＰ変換装置４ａへ送信する（Ｓ６３２〜Ｓ６３５）。また、ＩＳＵＰ信号（ＲＥＳ）をＳＩＰ信号（re-INVITE(RES)）で受信した発側加入者サーバ５ａ（課金部５２）では課金を開始する。発側ＩＰ変換装置４ａは、ＩＳＵＰ信号（ＲＥＳ）をＳＩＰ信号（re-INVITE(RES)）で受信すると、Ｃ−ＮＣＵ２間の回線をレバースすることにより（Ｓ６３６）、Ｃ−ＮＣＵ２に対し検針対象ＮＣＵ３からの応答を確認させる。そして、発側ＩＰ変換装置４ａは、ＳＩＰ信号（２００）をＰＳＴＮ−ＧＷ９へ送信し（Ｓ６３７，Ｓ６３８）、Ｃ−ＮＣＵ２と検針対象ＮＣＵ３との間の回線接続を実現する。その後、設定された回線にてデータ通信が開始される。
【０１０１】
（データ通信終了後の回線解放及び課金停止手順（＃７））
データ通信が終了すると、Ｃ−ＮＣＵ２はＮＲＴＳを中断する。これを検出（Ｓ６３９）した着側ＬＳ６ｂのＮＲＴ１は、検針先加入者宅との間の回線を緩ノーマルさせ（Ｓ６４０）、着側ＬＳ６ｂ（ＮＲＴ１）と検針対象ＮＣＵ３と間の通信を切断する。また、ＮＲＴ１は、発側ＩＰ変換装置４ａにＩＳＵＰ信号（ＳＵＳ）を送信する（Ｓ６４１〜Ｓ６４４）。ここで、ＩＳＵＰ信号（ＳＵＳ）をＳＩＰ信号（re-INVITE(SUS)）で受信した発側加入者サーバ５ａ（課金部５２）は、課金を停止する。そして、ＩＳＵＰ信号（ＳＵＳ）をＳＩＰ信号（re-INVITE(SUS)）で受信した発側ＩＰ変換装置４ａは、Ｃ−ＮＣＵ２との間の回線をノーマルに戻すことにより（Ｓ６４５）、Ｃ−ＮＣＵ２と検針対象ＮＣＵ３との間に設定された回線が解放したことをＣ−ＮＣＵ２に確認させる。また、発側ＩＰ変換装置４ａは、ＳＩＰ信号（２００）をＰＳＴＮ−ＧＷ９へ送信する（Ｓ６４６，Ｓ６４７）。
【０１０２】
（連続検針手順（＃８））
連続検針を行う場合、Ｃ−ＮＣＵ２は着側ＬＳ６ｂ（ＮＲＴ１）に対して再度ＮＲＴＳを送信し（Ｓ６４８）、第２選択信号要求手順（＃４）からの手順（図１４のＳ６４８）を再度実行する。
【０１０３】
（ＮＲＴ解放手順（＃９））
検針を終える場合、Ｃ−ＮＣＵ２の切断により（Ｓ６４９）、発側ＩＰ変換装置４ａは着側ＬＳ６ｂ（ＮＲＴ１）へＳＩＰ信号（ＢＹＥ）を送信し（Ｓ６５０〜Ｓ６５３）、ＳＩＰ信号（ＢＹＥ）をＩＳＵＰ信号（ＲＥＬ）で受信した着側ＬＳ６ｂのＮＲＴ１は、ＩＳＵＰ信号（ＲＬＣ）を返送する（Ｓ６５４〜Ｓ６５７）。発側ＩＰ変換装置４ａはＩＳＵＰ信号（ＲＬＣ）をＳＩＰ信号（２００）で受信することにより、接続が解放され終了となる。
【０１０４】
このようにすることで、ＩＰ網側に設けられたＣ−ＮＣＵ２により、ＰＳＴＮ側に設けられた着ＬＳ６ｂが配備するＮＲＴ１を用いて、着側のＮＣＵ３を制御してノーリンギング通信サービスを提供することができる。
【０１０５】
＜ＰＳＴＮ発−ＩＰ網（方式Ａ）＞
次に、ＰＳＴＮに設けられたＣ−ＮＣＵ２により、ＩＰ網側に外部装置として配備されたＮＲＴ１を用いて、着側ＩＰ変換装置４ｂが収容するＮＣＵ３を制御してノーリンギング通信サービスを提供するシステムについて説明する。なお、この場合、ＰＳＴＮ側の着ＬＳ６ｂに配備されたＮＲＴ１は機能しないものである。
【０１０６】
図１６及び図１７は、本実施形態に係るＰＳＴＮ発ＩＰ網（方式Ａ）着のノーリンギング通信サービスの処理の流れを示すフローチャートである。
【０１０７】
（Ｃ−ＮＣＵから発呼を行いパスの設定をする手順（＃１））
図１６に示すように、まず、Ｃ−ＮＣＵ２よりＮＲＴ１（第１選択信号）へ発呼を行うと（Ｓ７０１〜Ｓ７０３）、発側ＬＳ６ａによって第１選択信号としてＩＳＵＰ信号（ＩＡＭ）に変換され、ＩＧＳ８、ＰＳＴＮ−ＧＷ９、検針先加入者が収容されている着側加入者サーバ５ｂを経由してＮＲＴ１へ送信される（Ｓ７０４〜Ｓ７０７）。このとき、ＰＳＴＮ−ＧＷ９は、ＩＳＵＰ信号（ＩＡＭ）をＳＩＰ信号（第１選択信号）に変換する。以降、ＩＳＵＰ信号及びＳＩＰ信号はＰＳＴＮ−ＧＷ９を経由する際にそれぞれＳＩＰ信号、ＩＳＵＰ信号への変換が行われる。Ｃ−ＮＣＵ２は発呼後、発側ＬＳ６ａに対してＮＲＴＳを送信し続ける。
【０１０８】
（誤着信防止手順（＃２））
ＳＩＰ信号（第１選択信号）を受信したＮＲＴ１は誤着信防止のため発側ＬＳ６ａに向けてＳＩＰ信号（１８ｘ（ＳＤＰ））を送信する（Ｓ７０８〜Ｓ７１１）。ＳＩＰ信号（１８ｘ（ＳＤＰ））が変換されたＩＳＵＰ信号（ＡＣＭ）を受信した発側ＬＳ６ａは、Ｃ−ＮＣＵ２より受信しているＮＲＴＳをＮＲＴ１へ送信する。ＮＲＴ１はＮＲＴＳの検出により（Ｓ７１２）、受信したＳＩＰ信号（第１選択信号）が誤着信ではないと判断する。また、ＮＲＴ１にて一定時間ＮＲＴＳを検出できなかった場合は、誤着信と判断して呼を切断する。
【０１０９】
（不正使用防止手順（＃３））
ＮＲＴＳ検出後、ＮＲＴ１は、不正使用防止のためＳＩＰ信号（２００）をＬＳ６へ送信する（Ｓ７１３〜Ｓ７１６）。ＳＩＰ信号（２００）が変換されたＩＳＵＰ信号（ＡＮＭ）を受信した発側ＬＳ６ａは、該当する呼がＣ−ＮＣＵ２からの発信であるか否かを判断し、Ｃ−ＮＣＵ２からの発信である場合は、ＮＲＴＳの送信を中断する。ＮＲＴＳの中断を検出（Ｓ７１７）したＮＲＴ１は、ＳＩＰ信号（re-INVITE(SUS)）を発側ＬＳ６ａへ送信する（Ｓ７１８〜Ｓ７２１）。また、ＮＲＴ１にて一定時間ＮＲＴＳ中断を検出できなかった場合は、不正使用と判断して呼を切断する。ＳＩＰ信号（re-INVITE(SUS)）が変換されたＩＳＵＰ信号（ＳＵＳ）を受信した発側ＬＳ６ａは、中断していたＮＲＴＳ送信を再開する。その際、ＩＳＵＰ信号（ＳＵＳ）を転送するＰＳＴＮ−ＧＷ９とＩＧＳ８とでは、ＩＳＵＰ信号（ＳＵＳ）受信時にＢ~タイマを設定しない機能が必要となる。また、発側ＬＳ６ａにて該当する呼がＣ−ＮＣＵ２からの発信でないと判断された場合は、ここでタイマを設定し、タイムアウトにより呼を切断する。そして、ＰＳＴＮ−ＧＷ９は、ＳＩＰ信号（２００）をＮＲＴ１へ送信する（Ｓ７２２，Ｓ７２３）。
【０１１０】
（第２選択信号要求手順（＃４））
ＮＲＴＳ検出後（Ｓ７２４）、ＮＲＴ１は、インチャネルにてＳＤＲ（第２選択信号要求）をＣ−ＮＣＵ２へ送信する（Ｓ７２５）。ＳＤＲを受信したＣ−ＮＣＵ２は、ＮＲＴＳ送信を中断し、ＮＲＴＳの中断を検出（Ｓ７２６）したＮＲＴ１は、ＳＤＲの送信を中断する。
【０１１１】
（第２選択信号送信手順（＃５））
ＳＤＲを受信したＣ−ＮＣＵ２は、ＮＲＴＳ送信を中断した後、ＮＲＴ１へ第２選択信号（ＮＲＳ選択信号を含む）をインチャネルで送信する（Ｓ７２７）。その後、ＮＲＴ１へのＮＲＴＳ送信を再開する。
【０１１２】
（無鳴動呼び出しによるデータ通信開始及び課金開始手順（＃６））
続いて、図１７に示すように、第２選択信号（ＮＲＳ選択信号を含む）及びＮＲＴＳを検出（Ｓ７２８）したＮＲＴ１は、着側加入者サーバ５ｂを経由して着側ＩＰ変換装置４ｂへＳＩＰ信号（ノーリンギング呼び出し）を送信する（Ｓ７２９，Ｓ７３０）。ＳＩＰ信号（ノーリンギング呼び出し）を受信した着側ＩＰ変換装置４ｂは、ＳＩＰ信号（１８３（ＳＤＰ））をＮＲＴ１へ送信し（Ｓ７３１，Ｓ７３２）、検針先加入者宅との間の回線を緩レバースさせる（Ｓ７３３）。ＳＩＰ信号（１８３（ＳＤＰ））により緩レバースを確認したＮＲＴ１は、検針対象ＮＣＵ３にＮＲＳ（ノーリンギング呼び出し信号）をインチャネルで送信する（Ｓ７３４）。緩レバース後にＮＲＳ（ノーリンギング呼び出し信号）を受信させることで電話機を鳴動させることなく検針対象ＮＣＵ３の呼び出しを行う。呼び出しを受けた検針対象ＮＣＵ３は、ＡＮＳ（応答信号）をインチャネルで返信する（Ｓ７３５）。検針対象ＮＣＵ３よりＡＮＳを受信したＮＲＴ１は、ＳＩＰ信号（re-INVITE(RES)）を発側ＬＳ６ａへ送信する（Ｓ７３６〜Ｓ７３９）。発側ＬＳ６ａは、ＳＩＰ信号（re-INVITE(RES)）が変換されたＩＳＵＰ信号（ＲＥＳ）を受信すると課金を開始し、Ｃ−ＮＣＵ２間の回線をレバースすることにより（Ｓ７４０）、Ｃ−ＮＣＵ２に対し検針対象ＮＣＵ３からの応答を確認させる。そして、ＰＳＴＮ−ＧＷ９は、ＳＩＰ信号（２００）をＮＲＴ１へ送信し（Ｓ７４１，Ｓ７４２）、Ｃ−ＮＣＵ２と検針対象ＮＣＵ３との間の回線接続を実現する。その後、設定された回線にてデータ通信が開始される。
【０１１３】
（データ通信終了後の回線解放及び課金停止手順（＃７））
データ通信が終了すると、Ｃ−ＮＣＵ２はＮＲＴＳを中断する。これを検出（Ｓ７４３）したＮＲＴ１は、着側ＩＰ変換装置４ｂへＳＩＰ信号（CANCEL）を送信することにより（Ｓ７４４，Ｓ７４５）、着側ＩＰ変換装置４ｂは検針先加入者宅との間の回線を緩ノーマルさせ（Ｓ７４６）、ＮＲＴ１と検針対象ＮＣＵ３との間の通信を切断する。また、ＮＲＴ１は発側ＬＳ６ａにＳＩＰ信号（re-INVITE(SUS)）を送信する（Ｓ７４７〜Ｓ７５０）。ＳＩＰ信号（re-INVITE(SUS)）が変換されたＩＳＵＰ信号（ＳＵＳ）を受信した発側ＬＳ６ａは、Ｃ−ＮＣＵ２との間の回線をノーマルに戻すことにより（Ｓ７５１）、Ｃ−ＮＣＵ２と検針対象ＮＣＵ３との間に設定された回線を解放し、課金を停止する。そして、ＰＳＴＮ−ＧＷ９は、ＳＩＰ信号（２００）をＮＲＴ１へ送信する（Ｓ７５２，Ｓ７５３）。
【０１１４】
（連続検針手順（＃８））
連続検針を行う場合、Ｃ−ＮＣＵ２はＮＲＴ１に対して再度ＮＲＴＳを送信し（Ｓ７５４）、第２選択信号要求手順（＃４）からの手順（図１６のＳ７５４）を再度実行する。
【０１１５】
（ＮＲＴ解放手順（＃９））
検針を終える場合、Ｃ−ＮＣＵ２の切断により（Ｓ７５５）、発側ＬＳ６ａは、ＮＲＴ１へＩＳＵＰ信号（ＲＥＬ）を送信し（Ｓ７５６〜Ｓ７５９）、ＩＳＵＰ信号（ＲＥＬ）が変換されたＳＩＰ信号（ＢＹＥ）を受信したＮＲＴ１はＳＩＰ信号（２００）を返信し（Ｓ７６０〜Ｓ７６３）、接続を解放する。ＳＩＰ信号（２００）が変換されたＩＳＵＰ信号（ＲＬＣ）を受信することにより発側ＬＳ６ａは接続の解放を確認する。
【０１１６】
このようにすることで、ＰＳＴＮに設けられたＣ−ＮＣＵ２により、ＩＰ網側に外部装置として配備されたＮＲＴ１を用いて、着側ＩＰ変換装置４ｂが収容するＮＣＵ３を制御してノーリンギング通信サービスを提供することができる。
【０１１７】
＜ＩＰ網（方式Ｂ−１）−ＰＳＴＮ＞
図１８は、ＩＰ網に収容されたデータ通信システム（方式Ｂ−１）（図１，図５，図６参照）と、ＰＳＴＮに収容されたデータ通信システム（図２１参照）とが接続されてノーリンギング通信サービスを提供する構成を説明するための図である。
【０１１８】
図１８に示すように、ＩＰ網側は、ＮＲＴ１を着側ＩＰ変換装置４ｂに配備し、第２呼をＮＲＴ１とＮＣＵ３間で処理する方式Ｂ−１によるデータ通信システムであり、ＰＳＴＮ側は、図２１に示したように、ＮＲＴ１を着側ＬＳ（加入者線交換機）６ｂに備えたデータ通信システムである。そして、ＰＳＴＮ側にはＩＧＳ（相互接続用関門交換機）８が設けられ、ＩＰ網側にはＰＳＴＮ−ＧＷ（ゲートウェイ）９が設けられる。
【０１１９】
＜ＰＳＴＮ発−ＩＰ網（方式Ｂ−１）着＞
ＰＳＴＮに設けられたＣ−ＮＣＵ２により、ＩＰ網側の着側ＩＰ変換装置４ｂに配備されたＮＲＴ１を用いて、着側ＩＰ変換装置４ｂが収容するＮＣＵ３を制御してノーリンギング通信サービスを提供するシステムについて説明する。なお、この場合、ＰＳＴＮ側の着ＬＳ６ｂに配備されたＮＲＴ１は機能しないものである。
【０１２０】
図１９及び図２０は、本実施形態に係るＰＳＴＮ発ＩＰ網（方式Ｂ−１）着のノーリンギング通信サービスの処理の流れを示すフローチャートである。
【０１２１】
図１９に示すように、（＃１）〜（＃５）の処理は、ＮＲＴ１が着側ＩＰ変換装置４ｂに配備されているために、発側ＬＳ６ａと着側ＩＰ変換装置４ｂ（ＮＲＴ１）との間において信号が処理されることになる点を除いて、ＮＲＴ１が着側に外部装置配備されている場合と同様（図１６参照）となるので説明を省略する。
【０１２２】
（無鳴動呼び出しによるデータ通信開始及び課金開始手順（＃６））
図２０に示すように、第２選択信号（ＮＲＳ選択番号を含む）及びＮＲＴＳを検出（Ｓ８０１）した着側ＩＰ変換装置４ｂのＮＲＴ１は、検針先加入者宅との間の回線を緩レバースさせ（Ｓ８０２）、検針対象ＮＣＵ３にＮＲＳ（ノーリンギング呼び出し信号）をインチャネルで送信することで（Ｓ８０３）、電話機を鳴動させることなく検針対象ＮＣＵ３の呼び出しを行う。呼び出しを受けた検針対象ＮＣＵ３は、ＡＮＳ（応答信号）をインチャネルで返信する（Ｓ８０４）。検針対象ＮＣＵ３よりＡＮＳを受信した着側ＩＰ変換装置４ｂのＮＲＴ１は、ＳＩＰ信号（re-INVITE）を発側ＬＳ６ａへ送信する（Ｓ８０５〜Ｓ８０８）。ＳＩＰ信号（re-INVITE）が変換されたＩＳＵＰ信号（ＲＥＳ）を受信した発側ＬＳ６ａは課金を開始し、Ｃ−ＮＣＵ２間の回線をレバースすることにより（Ｓ８０９）、Ｃ−ＮＣＵ２に対し検針対象ＮＣＵ３からの応答を確認させる。そして、ＰＳＴＮ−ＧＷ９は、ＳＩＰ信号（２００）を着側ＩＰ変換装置４ｂ（ＮＲＴ１）へ送信し（Ｓ８１０，Ｓ８１１）、Ｃ−ＮＣＵ２と検針対象ＮＣＵ３との間の回線接続を実現する。その後、設定された回線にてデータ通信が開始される。
【０１２３】
（データ通信終了後の回線解放及び課金停止手順（＃７））
データ通信が終了すると、Ｃ−ＮＣＵ２はＮＲＴＳを中断する。これを検出（Ｓ８１２）した着側ＩＰ変換装置４ｂのＮＲＴ１は、検針先加入者宅との間の回線を緩ノーマルさせ（Ｓ８１３）、着側ＩＰ変換装置４ｂ（ＮＲＴ１）と検針対象ＮＣＵ３との間の通信を切断する。また、ＮＲＴ１は、発側ＬＳ６ａにＳＩＰ信号（re-INVITE(SUS)）を送信する（Ｓ８１４〜Ｓ８１７）。ＳＩＰ信号（re-INVITE(SUS)）が変換されたＩＳＵＰ信号（ＳＵＳ）を受信した発側ＬＳ６ａは課金を停止し、Ｃ−ＮＣＵ２との間の回線をノーマルに戻すことにより（Ｓ８１８）、Ｃ−ＮＣＵ２と検針対象ＮＣＵ３との間に設定された回線を解放する。また、ＰＳＴＮ−ＧＷ９は、ＳＩＰ信号（２００）を着側ＩＰ変換装置４ｂ（ＮＲＴ１）へ送信する（Ｓ８１９，Ｓ８２０）。
【０１２４】
（連続検針手順（＃８））及び（ＮＲＴ解放手順（＃９））
ＮＲＴ１が着側ＩＰ変換装置４ｂに配備されているため、着側に外部装置配備されたＮＲＴ１ではなく着側ＩＰ変換装置４ｂ（ＮＲＴ１）との間で信号が処理されることになる点を除いて、ＮＲＴ１が着側に外部装置配備されている場合と同様（図１７参照）となるため説明は省略する。
【０１２５】
このようにすることで、ＰＳＴＮに設けられたＣ−ＮＣＵ２により、ＩＰ網側の着側ＩＰ変換装置４ｂに配備されたＮＲＴ１を用いて、着側ＩＰ変換装置４ｂが収容するＮＣＵ３を制御してノーリンギング通信サービスを提供することができる。
なお、ＩＰ網（方式Ｂ−１）に設けられたＣ−ＮＣＵ２により、ＰＳＴＮ側に設けられた着側ＬＳ６ｂが配備するＮＲＴ１を用いて、着側のＮＣＵ３を制御してノーリンギング通信サービスを提供することもできる。この場合は、ＩＰ網（方式Ａ）とＰＳＴＮとが接続された場合に示した図１４及び図１５と同様のデータ処理方法となる。
【符号の説明】
【０１２６】
１      ＮＲＴ（ノーリンギングトランク）
２      Ｃ−ＮＣＵ（センタ網制御装置）
３      ＮＣＵ（端末用網制御装置）
４      ＩＰ変換装置
５      加入者サーバ
６      ＬＳ（加入者線交換機）
７      ＴＳ（中継交換機）
８      ＩＧＳ（関門交換機）
９      ＰＳＴＮ−ＧＷ
１０    ノーリンギング通信制御部
４１    通信制御部
４２    プロトコル変換部
５１    接続制御部
５２    課金部
【図１】
2011139412.tif 000003
【図２】
2011139412.tif 000004
【図３】
2011139412.tif 000005
【図４】
2011139412.tif 000006
【図５】
2011139412.tif 000007
【図６】
2011139412.tif 000008
【図７】
2011139412.tif 000009
【図８】
2011139412.tif 000010
【図９】
2011139412.tif 000011
【図１０】
2011139412.tif 000012
【図１１】
2011139412.tif 000013
【図１２】
2011139412.tif 000014
【図１３】
2011139412.tif 000015
【図１４】
2011139412.tif 000016
【図１５】
2011139412.tif 000017
【図１６】
2011139412.tif 000018
【図１７】
2011139412.tif 000019
【図１８】
2011139412.tif 000020
【図１９】
2011139412.tif 000021
【図２０】
2011139412.tif 000022
【図２１】
2011139412.tif 000023